(57)【要約】開示の実施形態は、パイロットシンボルにて干渉を軽減し、また組み合わせパイロットトーン及びヌルトーンをヌルトーンとともに使用することにより良好な干渉測定を可能にする。この種類のシステムで、受信器は残りの送信器から干渉を受けずタイルチャネル状態情報を推定でき、同時に受信器は、沈黙期間から干渉共分散か個々の干渉チャネル状態を測定できる。周波数リユース構造を使用して地理的に分離された領域にて送信器のグループが再使用される。好適な実施態様ではマルチアンテナプリコーダを使用してパイロット信号がプリコードされる。プリコーダはパイロットとデータとで同じであってよい。
2012519998.tif 000002
【特許請求の範囲】
【請求項１】
無線通信ネットワークにおいて送信中の干渉軽減を向上させる方法であって、前記方法は、異なるセクタ番号を持つ二つのセクタがそれぞれのパイロットパターンにおいて同じ位置にパイロットを有さないようにするため、セクタ番号によって識別されるセクタに対応する一意なパイロットパターンを割り当てることを備え、前記パイロットパターンはパイロットトーンとヌルトーンからなる、方法。
【請求項２】
前記ネットワークにおいて各セクタ（又はそのようなもの）にて複数のアンテナにわたって単一のデータストリームが送信され、事前定義されたプリコーダは、リソースブロック（ＲＢ）が持続する間、あるいはＲＢのグループが持続する間は一定に保たれ、各ＲＢにおいてデータとパイロットは同じプリコーダを使用してプリコードされる、請求項１に記載の方法。
【請求項３】
前記通信ネットワークはＯＬ領域を使用する、請求項２に記載の方法。
【請求項４】
前記方法はさらに、
１個以上のサブキャリアにわたりデータシンボルを反復することと、
複素共役及び位相変化のいずれか一方又は両方を使用して前記反復されたデータシンボルを符号化することと、
同期送信にて複数の送信器の各々にて前記反復され、かつ符号化されたシンボルを送信することと、を備え、
前記反復されたデータシンボルの前記符号化は前記複数の空間的に分離された送信器にて同期される、
請求項１に記載の方法。
【請求項５】
前記通信ネットワークはＯＬ領域を使用すること、請求項４に記載の方法。
【請求項６】
７−シンボルＡＡＳ（これを常にサブフレームのＡＡＳサブフレームと称する）サブフレームにおけるＯＦＤＭシンボル７は、前記７−シンボルサブフレームにおける第１のシンボルと同じである、請求項１に記載の方法。
【請求項７】
ＲＢにおけるパイロットトーン及びヌルトーンの位置は（１，８）、（１，９）、（３，８）、（３，９）、（５，８）及び（５，９）と表すことができる、請求項１に記載の方法。
【請求項８】
ＲＢにおけるパイロットトーン及びヌルトーンの位置は（１＋δｔ，８＋δｆ１），（１＋δｔ，９＋δｆ２），（３＋δｔ，８＋δｆ３），（３＋δｔ，９＋δｆ４），（５＋δｔ，８＋δｆ５），（５＋δｔ，９＋δｆ６）と表すことができ、
【数１０】
2012519998.tif 000013
である、請求項１に記載の方法。
【請求項９】
サブフレームが５個のシンボルからなる場合、各パイロットパターンにおける最後のシンボルは破棄される、請求項１に記載の方法。
【請求項１０】
リソースブロック中の各シンボルにおけるデータサブキャリアの数は偶数である、請求項１に記載の方法。
【請求項１１】
データは対で出現し、各対は連続するサブキャリアに出現する、請求項１０に記載の方法。
【請求項１２】
ＲＢにおけるデータトーンの数は偶数であり、パイロットトーンの数は４、６、及び８のいずれかである、請求項１に記載の方法。
【請求項１３】
６個のシンボルからなるサブフレームにおいて、パイロットトーンとヌルトーンはパターンの中で使用でき、
パイロットトーンは位置（１，１）、（２，１８）、（３，９）、（４，１）、（５，８）、及び（５，１８）を占め、
ヌルトーンは位置（１，８）、（１，９）、（１，１８）、（２，１）、（３，１）、（３，８）、（３，１８）、（４，１８）、（５，１）、（５，９）、（６，１）、及び（６，１８）を占める、
請求項１に記載の方法。
【請求項１４】
６個のシンボルからなるサブフレームにおいて、パイロットトーンとヌルトーンはパターンの中で使用でき、
パイロットトーンは位置（１，９）、（２，１）、（３，８）、（３，１８）、（５，１）、及び（６，１８）を占め、
ヌルトーンは位置（１，１）、（１，８）、（１，１８）、（２，１８）、（３，１）、（３，９）、（４，１）、（４，１８）、（５，８）、（５，９）、（５，１８）、及び（６，１）を占める、
請求項１に記載の方法。
【請求項１５】
６個のシンボルからなるサブフレームにおいて、パイロットトーンとヌルトーンはパターンの中で使用でき、
パイロットトーンは位置（１，８）、（１，１８）、（３，１）、（４，１８）、（５，９）、及び（６，１）を占め、
ヌルトーンは位置（１，１）、（１，９）、（２，１）、（２，１８）、（３，８）、（３，９）、（３，１８）、（４，１）、（５，１）、（５，８）、（５，１８）、及び（６，１８）を占める、
請求項１に記載の方法。
【請求項１６】
５個のシンボルからなるサブフレームにおいて、パイロットトーンとヌルトーンはパターンの中で使用でき、
パイロットトーンは位置（１，１）、（２，１８）、（３，９）、（４，１）、（５，８）、及び（５，１８）を占め、
ヌルトーンは位置（１，８）、（１，９）、（１，１８）、（２，１）、（３，１）、（３，８）、（３，１８）、（４，８）、（４，９）、（４，１８）、（５，１）、及び（５，９）を占める、
請求項１に記載の方法。
【請求項１７】
５個のシンボルからなるサブフレームにおいて、パイロットトーンとヌルトーンはパターンの中で使用でき、
パイロットトーンは位置（１，９）、（２，１）、（３，８）、（３，１８）、（４，９）、及び（５，１）を占め、
ヌルトーンは位置（１，１）、（１，８）、（１，１８）、（２，１８）、（３，１）、（３，９）、（４，１）、（４，８）、（４，１８）、（５，８）、（５，９）、及び（５，１８）を占める、
請求項１に記載の方法。
【請求項１８】
５個のシンボルからなるサブフレームにおいて、パイロットトーンとヌルトーンはパターンの中で使用でき、
パイロットトーンは位置（１，８）、（１，１８）、（３，１）、（４，８）、（４，１８）、及び（５，９）を占め、
ヌルトーンは位置（１，１）、（１，９）、（２，１）、（２，１８）、（３，８）、（３，９）、（３，１８）、（４，１）、（５，１）、（５，８）、及び（５，１８）を占める、
請求項１に記載の方法。
【請求項１９】
６個のシンボルからなるサブフレームにおいて、パイロットトーンとヌルトーンはパターンの中で使用でき、
パイロットトーンは位置（１，１）、（２，１８）、（３，９）、（４，１）、（５，８）、及び（５，１８）を占め、
ヌルトーンは位置（１，８）、（１，９）、（１，１８）、（２，１）、（３，１）、（３，８）、（３，１８）、（４，１８）、（５，１）、（５，９）、（６，１）、及び（６，１８）を占める、
請求項３に記載の方法。
【請求項２０】
６個のシンボルからなるサブフレームにおいて、パイロットトーンとヌルトーンはパターンの中で使用でき、
パイロットトーンは位置（１，９）、（２，１）、（３，８）、（３，１８）、（５，１）、及び（６，１８）を占め、
ヌルトーンは位置（１，１）、（１，８）、（１，１８）、（２，１８）、（３，１）、（３，９）、（４，１）、（４，１８）、（５，８）、（５，９）、（５，１８）、及び（６，１）を占める、
請求項３に記載の方法。
【請求項２１】
６個のシンボルからなるサブフレームにおいて、パイロットトーンとヌルトーンはパターンの中で使用でき、
パイロットトーンは位置（１，８）、（１，１８）、（３，１）、（４，１８）、（５，９）、及び（６，１）を占め、
ヌルトーンは位置（１，１）、（１，９）、（２，１）、（２，１８）、（３，８）、（３，９）、（３，１８）、（４，１）、（５，１）、（５，８）、（５，１８）、及び（６，１８）を占める、
請求項３に記載の方法。
【請求項２２】
５個のシンボルからなるサブフレームにおいて、パイロットトーンとヌルトーンはパターンの中で使用でき、
パイロットトーンは位置（１，１）、（２，１８）、（３，９）、（４，１）、（５，８）、及び（５，１８）を占め、
ヌルトーンは位置（１，８）、（１，９）、（１，１８）、（２，１）、（３，１）、（３，８）、（３，１８）、（４，８）、（４，９）、（４，１８）、（５，１）、及び（５，９）を占める、
請求項３に記載の方法。
【請求項２３】
５個のシンボルからなるサブフレームにおいて、パイロットトーンとヌルトーンはパターンの中で使用でき、
パイロットトーンは位置（１，９）、（２，１）、（３，８）、（３，１８）、（４，９）、及び（５，１）を占め、
ヌルトーンは位置（１，１）、（１，８）、（１，１８）、（２，１８）、（３，１）、（３，９）、（４，１）、（４，８）、（４，１８）、（５，８）、（５，９）、及び（５，１８）を占める、
請求項３に記載の方法。
【請求項２４】
５個のシンボルからなるサブフレームにおいて、パイロットトーンとヌルトーンはパターンの中で使用でき、
パイロットトーンは位置（１，８）、（１，１８）、（３，１）、（４，８）、（４，１８）、及び（５，９）を占め、
ヌルトーンは位置（１，１）、（１，９）、（２，１）、（２，１８）、（３，８）、（３，９）、（３，１８）、（４，１）、（５，１）、（５，８）、及び（５，１８）を占める、
請求項３に記載の方法。
【請求項２５】
６個のシンボルからなるサブフレームにおいて、パイロットトーンとヌルトーンはパターンの中で使用でき、
パイロットトーンは位置（１，１）、（２，１８）、（３，９）、（４，１）、（５，８）、及び（５，１８）を占め、
ヌルトーンは位置（１，８）、（１，９）、（１，１８）、（２，１）、（３，１）、（３，８）、（３，１８）、（４，１８）、（５，１）、（５，９）、（６，１）、及び（６，１８）を占める、
請求項４に記載の方法。
【請求項２６】
６個のシンボルからなるサブフレームにおいて、パイロットトーンとヌルトーンはパターンの中で使用でき、
パイロットトーンは位置（１，９）、（２，１）、（３，８）、（３，１８）、（５，１）、及び（６，１８）を占め、
ヌルトーンは位置（１，１）、（１，８）、（１，１８）、（２，１８）、（３，１）、（３，９）、（４，１）、（４，１８）、（５，８）、（５，９）、（５，１８）、及び（６，１）を占める、
請求項４に記載の方法。
【請求項２７】
６個のシンボルからなるサブフレームにおいて、パイロットトーンとヌルトーンはパターンの中で使用でき、
パイロットトーンは位置（１，８）、（１，１８）、（３，１）、（４，１８）、（５，９）、及び（６，１）を占め、
ヌルトーンは位置（１，１）、（１，９）、（２，１）、（２，１８）、（３，８）、（３，９）、（３，１８）、（４，１）、（５，１）、（５，８）、（５，１８）、及び（６，１８）を占める、
請求項４に記載の方法。
【請求項２８】
５個のシンボルからなるサブフレームにおいて、パイロットトーンとヌルトーンはパターンの中で使用でき、
パイロットトーンは位置（１，１）、（２，１８）、（３，９）、（４，１）、（５，８）、及び（５，１８）を占め、
ヌルトーンは位置（１，８）、（１，９）、（１，１８）、（２，１）、（３，１）、（３，８）、（３，１８）、（４，８）、（４，９）、（４，１８）、（５，１）、及び（５，９）を占める、
請求項４に記載の方法。
【請求項２９】
５個のシンボルからなるサブフレームにおいて、パイロットトーンとヌルトーンはパターンの中で使用でき、
パイロットトーンは位置（１，９）、（２，１）、（３，８）、（３，１８）、（４，９）、及び（５，１）を占め、
ヌルトーンは位置（１，１）、（１，８）、（１，１８）、（２，１８）、（３，１）、（３，９）、（４，１）、（４，８）、（４，１８）、（５，８）、（５，９）、及び（５，１８）を占める、
請求項４に記載の方法。
【請求項３０】
５個のシンボルからなるサブフレームにおいて、パイロットトーンとヌルトーンはパターンの中で使用でき、
パイロットトーンは位置（１，８）、（１，１８）、（３，１）、（４，８）、（４，１８）、及び（５，９）を占め、
ヌルトーンは位置（１，１）、（１，９）、（２，１）、（２，１８）、（３，８）、（３，９）、（３，１８）、（４，１）、（５，１）、（５，８）、及び（５，１８）を占める、
請求項４に記載の方法。
【請求項３１】
６個のシンボルからなる先進的エアインターフェイスサブフレームにおいて、パイロットトーンとヌルトーンはパターンの中で使用でき、
パイロットトーンは位置（１，１）、（２，１８）、（３，９）、（４，１）、（５，８）、及び（５，１８）を占め、
ヌルトーンは位置（１，８）、（１，９）、（１，１８）、（２，１）、（３，１）、（３，８）、（３，１８）、（４，１８）、（５，１）、（５，９）、（６，１）、及び（６，１８）を占める、
請求項５に記載の方法。
【請求項３２】
６個のシンボルからなるサブフレームにおいて、パイロットトーンとヌルトーンはパターンの中で使用でき、
パイロットトーンは位置（１，９）、（２，１）、（３，８）、（３，１８）、（５，１）、及び（６，１８）を占め、
ヌルトーンは位置（１，１）、（１，８）、（１，１８）、（２，１８）、（３，１）、（３，９）、（４，１）、（４，１８）、（５，８）、（５，９）、（５，１８）、及び（６，１）を占める、
請求項５に記載の方法。
【請求項３３】
６個のシンボルからなるサブフレームにおいて、パイロットトーンとヌルトーンはパターンの中で使用でき、
パイロットトーンは位置（１，８）、（１，１８）、（３，１）、（４，１８）、（５，９）、及び（６，１）を占め、
ヌルトーンは位置（１，１）、（１，９）、（２，１）、（２，１８）、（３，８）、（３，９）、（３，１８）、（４，１）、（５，１）、（５，８）、（５，１８）、及び（６，１８）を占める、
請求項５に記載の方法。
【請求項３４】
５個のシンボルからなるサブフレームにおいて、パイロットトーンとヌルトーンはパターンの中で使用でき、
パイロットトーンは位置（１，１）、（２，１８）、（３，９）、（４，１）、（５，８）、及び（５，１８）を占め、
ヌルトーンは位置（１，８）、（１，９）、（１，１８）、（２，１）、（３，１）、（３，８）、（３，１８）、（４，８）、（４，９）、（４，１８）、（５，１）、及び（５，９）を占める、
請求項５に記載の方法。
【請求項３５】
５個のシンボルからなるサブフレームにおいて、パイロットトーンとヌルトーンはパターンの中で使用でき、
パイロットトーンは位置（１，９）、（２，１）、（３，８）、（３，１８）、（４，９）、及び（５，１）を占め、
ヌルトーンは位置（１，１）、（１，８）、（１，１８）、（２，１８）、（３，１）、（３，９）、（４，１）、（４，８）、（４，１８）、（５，８）、（５，９）、及び（５，１８）を占める、
請求項５に記載の方法。
【請求項３６】
５個のシンボルからなるサブフレームにおいて、パイロットトーンとヌルトーンはパターンの中で使用でき、
パイロットトーンは位置（１，８）、（１，１８）、（３，１）、（４，８）、（４，１８）、及び（５，９）を占め、
ヌルトーンは位置（１，１）、（１，９）、（２，１）、（２，１８）、（３，８）、（３，９）、（３，１８）、（４，１）、（５，１）、（５，８）、及び（５，１８）を占める、
請求項５に記載の方法。
【請求項３７】
パイロットとデータは異なるリユースパターンを有する、請求項１に記載の方法。
【請求項３８】
パイロットリユースは１／３、１／４、１／５、１／６、１／７、及び１／１２のいずれかであり、データリユースは１である、請求項１に記載の方法。
【請求項３９】
所定数のサブフレームでは例えデータがスケジュールされない場合でもＰＲＵにて専用パイロットが送信され、残りのサブフレームではデータがスケジュールされる場合に限りＰＲＵにて専用パイロットが送信される、請求項１に記載の方法。
【請求項４０】
残りのサブフレームの数はゼロである、請求項３９に記載の方法。
【請求項４１】
所定数のサブフレームでは例えデータがスケジュールされない場合でもＰＲＵにて専用パイロットが送信され、残りのサブフレームではデータがスケジュールされる場合に限りＰＲＵにて専用パイロットが送信される、請求項３に記載の方法。
【請求項４２】
残りのサブフレームの数はゼロである、請求項４１に記載の方法。
【請求項４３】
所定数のサブフレームでは例えデータがスケジュールされない場合でもＰＲＵにて専用パイロットが送信され、残りのサブフレームではデータがスケジュールされる場合に限りＰＲＵにて専用パイロットが送信される、請求項４に記載の方法。
【請求項４４】
残りのサブフレームの数はゼロである、請求項４３に記載の方法。
【請求項４５】
所定数のサブフレームでは例えデータがスケジュールされない場合でもＰＲＵにて専用パイロットが送信され、残りのサブフレームではデータがスケジュールされる場合に限りＰＲＵにて専用パイロットが送信される、請求項５に記載の方法。
【請求項４６】
残りのサブフレームの数はゼロである、請求項４５に記載の方法。
【請求項４７】
二つの隣接する基地局が同じパイロット変調シーケンスを使用するのを防ぐためのパイロットプランニングは、
第１のシーケンスインデックスのため［−１  −１  １  １  １  −１］のパイロットシーケンスを割り当てることと、
第２のシーケンスインデックスのため［−１  １  −１  −１  １  １］のパイロットシーケンスを割り当てることと、
第３のシーケンスインデックスのため［−１  １  １  １  −１  １］のパイロットシーケンスを割り当てることと、
第４のシーケンスインデックスのため［１  −１  −１  １  １  １］のパイロットシーケンスを割り当てることと、
第５のシーケンスインデックスのため［１  −１  １  −１  −１  １］のパイロットシーケンスを割り当てることと、
第６のシーケンスインデックスのため［１  １  −１  １  −１  −１］のパイロットシーケンスを割り当てることと、
第７のシーケンスインデックスのため［１  １  １  −１  １  −１］のパイロットシーケンスを割り当てることと、を備える、
請求項１に記載の方法。
【請求項４８】
二つの隣接する基地局が同じパイロット変調シーケンスを使用するのを防ぐため、パイロットシーケンスを見つけるため送信器に割り当てられるシーケンスインデックスは、物理ＰＲＵインデックスと、物理サブフレームインデックスと、特定の基地局のセルＩＤとを使用して計算される、請求項１に記載の方法。
【請求項４９】
二つの隣接する基地局が同じパイロット変調シーケンスを使用するのを防ぐため、パイロットシーケンスを見つけるため送信器に割り当てられるシーケンスインデックスは、
ｉ＝ｍｏｄ（ｓ＋ｔ＋ｍｏｄ（ｍｏｄ（Ｃｅｌｌ  ＩＤ，２５６），７），７）により与えられ、
「ｓ」は物理ＰＲＵインデックスであり、「ｔ」は物理サブフレームインデックスであり、Ｃｅｌｌ  ＩＤは特定の基地局である、
請求項１に記載の方法。
【請求項５０】
送信器によって使用されるパイロットパターンのタイプのインデックスはｆｌｏｏｒ（ｋ／Ｍ）により決定され、ｋは前記送信器に対応するセルＩＤであり、Ｍはセルサイトの数である、請求項１に記載の方法。
【請求項５１】
送信器によって使用されるパイロットパターンのタイプのインデックスはｍｏｄ（ｋ，Ｎ）により決定され、ｋは前記送信器に対応するセルＩＤであり、Ｎは１セル当たりのセクタ数である、請求項１に記載の方法。
【請求項５２】
無線遠隔通信ネットワークで送信中の干渉軽減を向上させるよう構成された送信器であって、前記送信器は、異なるセクタ番号を持つ二つのセクタがそれぞれのパイロットパターンにおいて同じ位置にパイロットを有さないようにするため、セクタ番号によって識別されるセクタに対応する一意なパイロットパターンを割り当てる少なくとも一つの手段を備え、前記パイロットパターンはパイロットトーンとヌルトーンからなる、送信器。
【請求項５３】
前記ネットワークでは各セクタにて複数のアンテナにわたって単一のデータストリームが送信され、事前定義されたプリコーダは、リソースブロック（ＲＢ）が持続する間、あるいはＲＢのグループが持続する間は一定に保たれ、各ＲＢにおいてデータとパイロットは同じプリコーダを使用してプリコードされる、請求項５２に記載の送信器。
【請求項５４】
前記通信ネットワークはＯＬ領域を使用する、請求項５３に記載の送信器。
【請求項５５】
前記方法はさらに、
１個以上のサブキャリアにわたりデータシンボルを反復することと、
複素共役及び位相変化のいずれか一方又は両方を使用して前記反復されたデータシンボルを符号化することと、
同期送信にて複数の送信器の各々にて前記反復され、かつ符号化されたシンボルを送信することと、を備え、
前記反復されたデータシンボルを前記符号化することは前記複数の空間的に分離された送信器にて同期される、
請求項５２に記載の送信器。
【請求項５６】
前記通信ネットワークはＯＬ領域を使用する、請求項５６に記載の送信器。
【請求項５７】
７−シンボルサブフレームにおけるシンボル７は、前記７−シンボルサブフレームにおける第１のシンボルと同じである、請求項５２に記載の送信器。
【請求項５８】
ＲＢにおけるパイロットトーン及びヌルトーンの位置は（１，８）、（１，９）、（３，８）、（３，９）、（５，８）及び（５，９）と表すことができる、請求項５２に記載の送信器。
【請求項５９】
ＲＢにおけるパイロットトーン及びヌルトーンの位置は（１＋δｔ，８＋δｆ１），（１＋δｔ，９＋δｆ２），（３＋δｔ，８＋δｆ３），（３＋δｔ，９＋δｆ４），（５＋δｔ，８＋δｆ５），（５＋δｔ，９＋δｆ６）と表すことができ、
【数１１】
2012519998.tif 000014
である、請求項５２に記載の送信器。
【請求項６０】
サブフレームが５個のシンボルからなる場合、各パイロットパターンにおける最後のシンボルは破棄される、請求項５２に記載の送信器。
【請求項６１】
リソースブロックごとの各シンボルにおけるデータサブキャリアの数は偶数である、請求項５２に記載の送信器。
【請求項６２】
データは対で出現し、各対は連続するサブキャリアに出現する、請求項６１に記載の送信器。
【請求項６３】
ＲＢにおけるデータトーンの数は偶数であり、パイロットトーンの数は４、６、及び８のいずれかである、請求項５２に記載の送信器。
【請求項６４】
６個のシンボルからなるサブフレームにおいて、パイロットトーンとヌルトーンはパターンの中で使用でき、
パイロットトーンは位置（１，１）、（２，１８）、（３，９）、（４，１）、（５，８）、及び（５，１８）を占め、
ヌルトーンは位置（１，８）、（１，９）、（１，１８）、（２，１）、（３，１）、（３，８）、（３，１８）、（４，１８）、（５，１）、（５，９）、（６，１）、及び（６，１８）を占める、
請求項５２に記載の送信器。
【請求項６５】
６個のシンボルからなるサブフレームにおいて、パイロットトーンとヌルトーンはパターンの中で使用でき、
パイロットトーンは位置（１，９）、（２，１）、（３，８）、（３，１８）、（５，１）、及び（６，１８）を占め、
ヌルトーンは位置（１，１）、（１，８）、（１，１８）、（２，１８）、（３，１）、（３，９）、（４，１）、（４，１８）、（５，８）、（５，９）、（５，１８）、及び（６，１）を占める、
請求項５２に記載の送信器。
【請求項６６】
６個のシンボルからなるサブフレームにおいて、パイロットトーンとヌルトーンはパターンの中で使用でき、
パイロットトーンは位置（１，８）、（１，１８）、（３，１）、（４，１８）、（５，９）、及び（６，１）を占め、
ヌルトーンは位置（１，１）、（１，９）、（２，１）、（２，１８）、（３，８）、（３，９）、（３，１８）、（４，１）、（５，１）、（５，８）、（５，１８）、及び（６，１８）を占める、
請求項５２に記載の送信器。
【請求項６７】
５個のシンボルからなるサブフレームにおいて、パイロットトーンとヌルトーンはパターンの中で使用でき、
パイロットトーンは位置（１，１）、（２，１８）、（３，９）、（４，１）、（５，８）、及び（５，１８）を占め、
ヌルトーンは位置（１，８）、（１，９）、（１，１８）、（２，１）、（３，１）、（３，８）、（３，１８）、（４，８）、（４，９）、（４，１８）、（５，１）、及び（５，９）を占める、
請求項５２に記載の送信器。
【請求項６８】
５個のシンボルからなるサブフレームにおいて、パイロットトーンとヌルトーンはパターンの中で使用でき、
パイロットトーンは位置（１，９）、（２，１）、（３，８）、（３，１８）、（４，９）、及び（５，１）を占め、
ヌルトーンは位置（１，１）、（１，８）、（１，１８）、（２，１８）、（３，１）、（３，９）、（４，１）、（４，８）、（４，１８）、（５，８）、（５，９）、及び（５，１８）を占める、
請求項５２に記載の送信器。
【請求項６９】
５個のシンボルからなるサブフレームにおいて、パイロットトーンとヌルトーンはパターンの中で使用でき、
パイロットトーンは位置（１，８）、（１，１８）、（３，１）、（４，８）、（４，１８）、及び（５，９）を占め、
ヌルトーンは位置（１，１）、（１，９）、（２，１）、（２，１８）、（３，８）、（３，９）、（３，１８）、（４，１）、（５，１）、（５，８）、及び（５，１８）を占める、
請求項５２に記載の送信器。
【請求項７０】
６個のシンボルからなるサブフレームにおいて、パイロットトーンとヌルトーンはパターンの中で使用でき、
パイロットトーンは位置（１，１）、（２，１８）、（３，９）、（４，１）、（５，８）、及び（５，１８）を占め、
ヌルトーンは位置（１，８）、（１，９）、（１，１８）、（２，１）、（３，１）、（３，８）、（３，１８）、（４，１８）、（５，１）、（５，９）、（６，１）、及び（６，１８）を占める、
請求項５４に記載の送信器。
【請求項７１】
６個のシンボルからなるサブフレームにおいて、パイロットトーンとヌルトーンはパターンの中で使用でき、
パイロットトーンは位置（１，９）、（２，１）、（３，８）、（３，１８）、（５，１）、及び（６，１８）を占め、
ヌルトーンは位置（１，１）、（１，８）、（１，１８）、（２，１８）、（３，１）、（３，９）、（４，１）、（４，１８）、（５，８）、（５，９）、（５，１８）、及び（６，１）を占める、
請求項５４に記載の送信器。
【請求項７２】
６個のシンボルからなるサブフレームにおいて、パイロットトーンとヌルトーンはパターンの中で使用でき、
パイロットトーンは位置（１，８）、（１，１８）、（３，１）、（４，１８）、（５，９）、及び（６，１）を占め、
ヌルトーンは位置（１，１）、（１，９）、（２，１）、（２，１８）、（３，８）、（３，９）、（３，１８）、（４，１）、（５，１）、（５，８）、（５，１８）、及び（６，１８）を占める、
請求項５４に記載の送信器。
【請求項７３】
５個のシンボルからなるサブフレームにおいて、パイロットトーンとヌルトーンはパターンの中で使用でき、
パイロットトーンは位置（１，１）、（２，１８）、（３，９）、（４，１）、（５，８）、及び（５，１８）を占め、
ヌルトーンは位置（１，８）、（１，９）、（１，１８）、（２，１）、（３，１）、（３，８）、（３，１８）、（４，８）、（４，９）、（４，１８）、（５，１）、及び（５，９）を占める、
請求項５４に記載の送信器。
【請求項７４】
５個のシンボルからなるサブフレームにおいて、パイロットトーンとヌルトーンはパターンの中で使用でき、
パイロットトーンは位置（１，９）、（２，１）、（３，８）、（３，１８）、（４，９）、及び（５，１）を占め、
ヌルトーンは位置（１，１）、（１，８）、（１，１８）、（２，１８）、（３，１）、（３，９）、（４，１）、（４，８）、（４，１８）、（５，８）、（５，９）、及び（５，１８）を占める、
請求項５４に記載の送信器。
【請求項７５】
５個のシンボルからなるサブフレームにおいて、パイロットトーンとヌルトーンはパターンの中で使用でき、
パイロットトーンは位置（１，８）、（１，１８）、（３，１）、（４，８）、（４，１８）、及び（５，９）を占め、
ヌルトーンは位置（１，１）、（１，９）、（２，１）、（２，１８）、（３，８）、（３，９）、（３，１８）、（４，１）、（５，１）、（５，８）、及び（５，１８）を占める、
請求項５４に記載の送信器。
【請求項７６】
６個のシンボルからなるサブフレームにおいて、パイロットトーンとヌルトーンはパターンの中で使用でき、
パイロットトーンは位置（１，１）、（２，１８）、（３，９）、（４，１）、（５，８）、及び（５，１８）を占め、
ヌルトーンは位置（１，８）、（１，９）、（１，１８）、（２，１）、（３，１）、（３，８）、（３，１８）、（４，１８）、（５，１）、（５，９）、（６，１）、及び（６，１８）を占める、
請求項５５に記載の送信器。
【請求項７７】
６個のシンボルからなるサブフレームにおいて、パイロットトーンとヌルトーンはパターンの中で使用でき、
パイロットトーンは位置（１，９）、（２，１）、（３，８）、（３，１８）、（５，１）、及び（６，１８）を占め、
ヌルトーンは位置（１，１）、（１，８）、（１，１８）、（２，１８）、（３，１）、（３，９）、（４，１）、（４，１８）、（５，８）、（５，９）、（５，１８）、及び（６，１）を占める、
請求項５５に記載の送信器。
【請求項７８】
６個のシンボルからなるサブフレームにおいて、パイロットトーンとヌルトーンはパターンの中で使用でき、
パイロットトーンは位置（１，８）、（１，１８）、（３，１）、（４，１８）、（５，９）、及び（６，１）を占め、
ヌルトーンは位置（１，１）、（１，９）、（２，１）、（２，１８）、（３，８）、（３，９）、（３，１８）、（４，１）、（５，１）、（５，８）、（５，１８）、及び（６，１８）を占める、
請求項５５に記載の送信器。
【請求項７９】
５個のシンボルからなるサブフレームにおいて、パイロットトーンとヌルトーンはパターンの中で使用でき、
パイロットトーンは位置（１，１）、（２，１８）、（３，９）、（４，１）、（５，８）、及び（５，１８）を占め、
ヌルトーンは位置（１，８）、（１，９）、（１，１８）、（２，１）、（３，１）、（３，８）、（３，１８）、（４，８）、（４，９）、（４，１８）、（５，１）、及び（５，９）を占める、
請求項５５に記載の送信器。
【請求項８０】
５個のシンボルからなるサブフレームにおいて、パイロットトーンとヌルトーンはパターンの中で使用でき、
パイロットトーンは位置（１，９）、（２，１）、（３，８）、（３，１８）、（４，９）、及び（５，１）を占め、
ヌルトーンは位置（１，１）、（１，８）、（１，１８）、（２，１８）、（３，１）、（３，９）、（４，１）、（４，８）、（４，１８）、（５，８）、（５，９）、及び（５，１８）を占める、
請求項５５に記載の送信器。
【請求項８１】
５個のシンボルからなるサブフレームにおいて、パイロットトーンとヌルトーンはパターンの中で使用でき、
パイロットトーンは位置（１，８）、（１，１８）、（３，１）、（４，８）、（４，１８）、及び（５，９）を占め、
ヌルトーンは位置（１，１）、（１，９）、（２，１）、（２，１８）、（３，８）、（３，９）、（３，１８）、（４，１）、（５，１）、（５，８）、及び（５，１８）を占める、
請求項５５に記載の送信器。
【請求項８２】
６個のシンボルからなるサブフレームにおいて、パイロットトーンとヌルトーンはパターンの中で使用でき、
パイロットトーンは位置（１，１）、（２，１８）、（３，９）、（４，１）、（５，８）、及び（５，１８）を占め、
ヌルトーンは位置（１，８）、（１，９）、（１，１８）、（２，１）、（３，１）、（３，８）、（３，１８）、（４，１８）、（５，１）、（５，９）、（６，１）、及び（６，１８）を占める、
請求項５６に記載の送信器。
【請求項８３】
６個のシンボルからなるサブフレームにおいて、パイロットトーンとヌルトーンはパターンの中で使用でき、
パイロットトーンは位置（１，９）、（２，１）、（３，８）、（３，１８）、（５，１１）、及び（６，１８）を占め、
ヌルトーンは位置（１，１）、（１，８）、（１，１８）、（２，１８）、（３，１）、（３，９）、（４，１）、（４，１８）、（５，８）、（５，９）、（５，１８）、及び（６，１）を占める、
請求項５６に記載の送信器。
【請求項８４】
６個のシンボルからなるサブフレームにおいて、パイロットトーンとヌルトーンはパターンの中で使用でき、
パイロットトーンは位置（１，８）、（１，１８）、（３，１）、（４，１８）、（５，９）、及び（６，１）を占め、
ヌルトーンは位置（１，１）、（１，９）、（２，１）、（２，１８）、（３，８）、（３，９）、（３，１８）、（４，１）、（５，１）、（５，８）、（５，１８）、及び（６，１８）を占める、
請求項５６に記載の送信器。
【請求項８５】
５個のシンボルからなるサブフレームにおいて、パイロットトーンとヌルトーンはパターンの中で使用でき、
パイロットトーンは位置（１，１）、（２，１８）、（３，９）、（４，１）、（５，８）、及び（５，１８）を占め、
ヌルトーンは位置（１，８）、（１，９）、（１，１８）、（２，１）、（３，１）、（３，８）、（３，１８）、（４，８）、（４，９）、（４，１８）、（５，１）、及び（５，９）を占める、
請求項５６に記載の送信器。
【請求項８６】
５個のシンボルからなるサブフレームにおいて、パイロットトーンとヌルトーンはパターンの中で使用でき、
パイロットトーンは位置（１，９）、（２，１）、（３，８）、（３，１８）、（４，９）、及び（５，１）を占め、
ヌルトーンは位置（１，１）、（１，８）、（１，１８）、（２，１８）、（３，１）、（３，９）、（４，１）、（４，８）、（４，１８）、（５，８）、（５，９）、及び（５，１８）を占める、
請求項５６に記載の送信器。
【請求項８７】
５個のシンボルからなるサブフレームにおいて、パイロットトーンとヌルトーンはパターンの中で使用でき、
パイロットトーンは位置（１，８）、（１，１８）、（３，１）、（４，８）、（４，１８）、及び（５，９）を占め、
ヌルトーンは位置（１，１）、（１，９）、（２，１）、（２，１８）、（３，８）、（３，９）、（３，１８）、（４，１）、（５，１）、（５，８）、及び（５，１８）を占める、
請求項５６に記載の送信器。
【請求項８８】
パイロットとデータは異なるリユースパターンを有する、請求項５２に記載の送信器。
【請求項８９】
パイロットリユースは１／３、１／４、１／５、１／６、１／７、及び１／１２のいずれかであり、データリユースは１である、請求項５２に記載の送信器。
【請求項９０】
所定数のサブフレームでは例えデータがスケジュールされない場合でもＰＲＵにて専用パイロットが送信され、残りのサブフレームではデータがスケジュールされる場合に限りＰＲＵにて専用パイロットが送信される、請求項５２に記載の送信器。
【請求項９１】
残りのサブフレームの数はゼロである、請求項９０に記載の送信器。
【請求項９２】
所定数のサブフレームでは例えデータがスケジュールされない場合でもＰＲＵにて専用パイロットが送信され、残りのサブフレームではデータがスケジュールされる場合に限りＰＲＵにて専用パイロットが送信される、請求項５４に記載の送信器。
【請求項９３】
残りのサブフレームの数はゼロである、請求項９２に記載の送信器。
【請求項９４】
所定数のサブフレームでは例えデータがスケジュールされない場合でもＰＲＵにて専用パイロットが送信され、残りのサブフレームではデータがスケジュールされる場合に限りＰＲＵにて専用パイロットが送信される、
請求項５５に記載の送信器。
【請求項９５】
残りのサブフレームの数はゼロである、請求項９４に記載の送信器。
【請求項９６】
所定数のサブフレームでは例えデータがスケジュールされない場合でもＰＲＵにて専用パイロットが送信され、残りのサブフレームではデータがスケジュールされる場合に限りＰＲＵにて専用パイロットが送信される、請求項５６に記載の送信器。
【請求項９７】
残りのサブフレームの数はゼロである、請求項９６に記載の送信器。
【請求項９８】
二つの隣接する基地局が同じパイロット変調シーケンスを使用するのを防ぐためのパイロットプランニングは、
第１のシーケンスインデックスのため［−１  −１  １  １  １  −１］のパイロットシーケンスを割り当てることと、
第２のシーケンスインデックスのため［−１  １  −１  −１  １  １］のパイロットシーケンスを割り当てることと、
第３のシーケンスインデックスのため［−１  １  １  １  −１  １］のパイロットシーケンスを割り当てることと、
第４のシーケンスインデックスのため［１  −１  −１  １  １  １］のパイロットシーケンスを割り当てることと、
第５のシーケンスインデックスのため［１  −１  １  −１  −１  １］のパイロットシーケンスを割り当てることと、
第６のシーケンスインデックスのため［１  １  −１  １  −１  −１］のパイロットシーケンスを割り当てることと、
第７のシーケンスインデックスのため［１  １  １  −１  １  −１］のパイロットシーケンスを割り当てることと、を備える、
請求項５２に記載の送信器。
【請求項９９】
二つの隣接する基地局が同じパイロット変調シーケンスを使用するのを防ぐため、パイロットシーケンスを見つけるため送信器に割り当てられるシーケンスインデックスは、物理ＰＲＵインデックスと、物理サブフレームインデックスと、特定の基地局のセルＩＤとを使用して計算される、請求項５２に記載の送信器。
【請求項１００】
二つの隣接する基地局が同じパイロット変調シーケンスを使用するのを防ぐため、パイロットシーケンスを見つけるため送信器に割り当てられるシーケンスインデックスは、ｉ＝ｍｏｄ（ｓ＋ｔ＋ｍｏｄ（ｍｏｄ（Ｃｅｌｌ  ＩＤ，２５６），７），７）により与えられ、
「ｓ」は物理ＰＲＵインデックスであり、「ｔ」は物理サブフレームインデックスであり、Ｃｅｌｌ  ＩＤは特定の基地局である、
請求項５２に記載の送信器。
【請求項１０１】
送信器によって使用されるパイロットパターンのタイプのインデックスはｆｌｏｏｒ（ｋ／Ｍ）により決定され、ｋは前記送信器に対応するセルＩＤであり、Ｍはセルサイトの数である、請求項５２に記載の送信器。
【請求項１０２】
送信器によって使用されるパイロットパターンのタイプのインデックスはｍｏｄ（ｋ，Ｎ）により決定され、ｋは前記送信器に対応するセルＩＤであり、Ｎは１セル当たりのセクタ数である、請求項５２に記載の送信器。
【請求項１０３】
無線通信ネットワークにおいて受信器を実装する方法であって、前記ネットワークは、異なるセクタ番号を持つ二つのセクタがそれぞれのパイロットパターンにおいて同じ位置にパイロットを有さないようにするため、セクタのセクタ番号に対応する一意なパイロットパターンを使用し、前記パイロットパターンはパイロットトーンとヌルトーンからなり、前記方法は、
チャネルを推定することと、
受信信号から信号成分を除去することにより各パイロット位置にて所期セクタの干渉サンプルを取得することと、
前記所期セクタの前記サンプルから全パイロット位置にて第１の干渉共分散を推定することと、
ヌルトーンから第２の干渉共分散を推定することと、
総合干渉共分散推定を得るため取得された前記第１及び第２の干渉共分散を加えることと、
前記受信器にてフィルタの加重値を決定することと、
を備える方法。
【請求項１０４】
前記ネットワークにおいて各セクタにて複数のアンテナにわたって単一のデータストリームが送信され、事前定義されたプリコーダは、リソースブロック（ＲＢ）が持続する間、あるいはＲＢのグループが持続する間は一定に保たれ、各ＲＢにおいてデータとパイロットは同じプリコーダを使用してプリコードされる、請求項１０３に記載の方法。
【請求項１０５】
前記通信ネットワークはＯＬ領域を使用する、請求項１０４に記載の方法。
【請求項１０６】
無線通信ネットワークにおいて受信器を実装する方法であって、前記ネットワークは、異なるセクタ番号を持つ二つのセクタがそれぞれのパイロットパターンにおいて同じ位置にパイロットを有さないようにするため、セクタのセクタ番号に対応する一意なパイロットパターンを使用し、前記パイロットパターンはパイロットトーンとヌルトーンからなり、前記方法は、
チャネルを推定することと、
受信信号から信号成分を除去することにより各パイロット位置にて所期セクタの干渉サンプルを取得することと、
列ベクトル形式にて干渉サンプルとその複素共役とを収集することと、
前記所期セクタの前記サンプルから全パイロット位置にて第１の干渉共分散を推定することと、
ヌルトーンから第２の干渉共分散を推定することと、
総合干渉共分散推定を得るため取得された前記第１及び第２の干渉共分散を加えることと、
前記受信器にてフィルタの加重値を決定することと、を備え、
前記ネットワークは１個以上のサブキャリアにわたりデータシンボルを反復し、かつ複素共役及び位相変化のいずれか一方又は両方を使用して前記反復されたデータシンボルを符号化し、反復されたデータシンボルの前記符号化は複数の空間的に分離された送信器にて同期される、方法。
【請求項１０７】
前記ネットワークでは各セクタにて複数のアンテナにわたって単一のデータストリームが送信され、事前定義されたプリコーダは、リソースブロック（ＲＢ）が持続する間、あるいはＲＢのグループが持続する間は一定に保たれ、各ＲＢにおいてデータとパイロットは同じプリコーダを使用してプリコードされる、請求項１０６に記載の方法。
【請求項１０８】
前記通信ネットワークはＯＬ領域を使用する、請求項１０７に記載の方法。
【請求項１０９】
無線通信ネットワークにおける受信器であって、前記受信器は、前記ネットワークにて送信される信号を受信し、かつ復調する少なくとも一つの手段を備え、異なるセクタ番号を持つ二つのセクタがそれぞれのパイロットパターンにおいて同じ位置にパイロットを有さないようにするため、セクタ番号によって識別されるセクタに対応する一意なパイロットパターンが割り当てられ、前記パイロットパターンはパイロットトーンとヌルトーンからなる、受信器。
【請求項１１０】
無線通信ネットワークにおける受信器であって、前記ネットワークは、異なるセクタ番号を持つ二つのセクタがそれぞれのパイロットパターンにおいて同じ位置にパイロットを有さないようにするため、セクタのセクタ番号に対応する一意なパイロットパターンを使用し、前記パイロットパターンはパイロットトーンとヌルトーンからなり、前記受信器は、
チャネルを推定し、
受信信号から信号成分を除去することにより各パイロット位置にて所期セクタの干渉サンプルを取得し、
前記所期セクタの前記サンプルから全パイロット位置にて第１の干渉共分散を推定し、
ヌルトーンから第２の干渉共分散を推定し、
総合干渉共分散推定を得るため取得された前記第１及び第２の干渉共分散を加え、かつ
前記受信器にてフィルタの加重値を決定する、
少なくとも一つの手段を備える、受信器。
【請求項１１１】
前記ネットワークでは各セクタにて複数のアンテナにわたって単一のデータストリームが送信され、事前定義されたプリコーダは、リソースブロック（ＲＢ）が持続する間、あるいはＲＢのグループが持続する間は一定に保たれ、各ＲＢにおいてデータとパイロットは同じプリコーダを使用してプリコードされる、請求項１１０に記載の受信器。
【請求項１１２】
前記通信ネットワークはＯＬ領域を使用する、請求項１１１に記載の受信器。
【請求項１１３】
無線通信ネットワークにおける受信器であって、前記ネットワークは、異なるセクタ番号を持つ二つのセクタがそれぞれのパイロットパターンにおいて同じ位置にパイロットを有さないようにするため、セクタのセクタ番号に対応する一意なパイロットパターンを使用し、前記パイロットパターンはパイロットトーンとヌルトーンからなり、前記受信器は、
チャネルを推定し、
受信信号から信号成分を除去することにより各パイロット位置にて所期セクタの干渉サンプルを取得し、
列ベクトル形式にて干渉サンプルとその複素共役とを収集し、
前記所期セクタの前記サンプルから全パイロット位置にて第１の干渉共分散を推定し、
ヌルトーンから第２の干渉共分散を推定し、
総合干渉共分散推定を得るため取得された前記第１及び第２の干渉共分散を加え、かつ
前記受信器にてフィルタの加重値を決定する、
少なくとも一つの手段を備え、
前記ネットワークは１個以上のサブキャリアにわたりデータシンボルを反復し、かつ複素共役及び位相変化のいずれか一方又は両方を使用して前記反復されたデータシンボルを符号化し、反復されたデータシンボルの前記符号化は複数の空間的に分離された送信器にて同期される、受信器。
【請求項１１４】
前記ネットワークにおいて各セクタにて複数のアンテナにわたって単一のデータストリームが送信され、事前定義されたプリコーダは、リソースブロック（ＲＢ）が持続する間、あるいはＲＢのグループが持続する間は一定に保たれ、各ＲＢにおいてデータとパイロットは同じプリコーダを使用してプリコードされる、請求項１１３に記載の受信器。
【請求項１１５】
前記通信ネットワークはＯＬ領域を使用する、請求項１１４に記載の受信器。
【請求項１１６】
無線通信ネットワークにおいて受信器にてチャネル品質指標を計算する方法であって、前記ネットワークは、異なるセクタ番号を持つ二つのセクタがそれぞれのパイロットパターンにおいて同じ位置にパイロットを有さないようにするため、セクタのセクタ番号に対応する一意なパイロットパターンを使用し、前記パイロットパターンはパイロットトーンとヌルトーンからなり、
前記方法は、全トーンにつきポスト受信器ＳＩＮＲを計算することを備える、方法。
【請求項１１７】
前記方法はさらに、
全サブバンドにつきサブバンドＣＱＩを決定することと、
全ての、又は最良Ｍサブバンドの、前記サブバンドＣＱＩを、前記最良Ｍサブバンドのサブバンドインデックスとともに、フィードバックすることと、を備える、
請求項１１６に記載の方法。
【請求項１１８】
前記方法はさらに、
ワイドバンドＣＱＩを決定することと、
前記ワイドバンドＣＱＩをフィードバックすることと、を備える、
請求項１１６に記載の方法。
【請求項１１９】
前記ネットワークにおいて各セクタにて複数のアンテナにわたって単一のデータストリームが送信され、事前定義されたプリコーダは、リソースブロック（ＲＢ）が持続する間、あるいはＲＢのグループが持続する間は一定に保たれ、各ＲＢにおいてデータとパイロットは同じプリコーダを使用してプリコードされる、請求項１１６に記載の方法。
【請求項１２０】
前記通信ネットワークはＯＬ領域を使用する、請求項１１９に記載の方法。
【請求項１２１】
無線通信ネットワークにおいて受信器にてチャネル品質指標を計算する方法であって、前記ネットワークは、異なるセクタ番号を持つ二つのセクタがそれぞれのパイロットパターンにおいて同じ位置にパイロットを有さないようにするため、セクタのセクタ番号に対応する一意なパイロットパターンを使用し、前記パイロットパターンはパイロットトーンとヌルトーンからなり、
前記方法は、
１個以上のサブキャリアにわたって広がる全トーン対につきポスト受信器ＳＩＮＲを計算することを備え、
前記ネットワークは１個以上のサブキャリアにわたりデータシンボルを反復し、かつ複素共役及び位相変化のいずれか一方又は両方を使用して前記反復されたデータシンボルを符号化し、反復されたデータシンボルの前記符号化は複数の空間的に分離された送信器にて同期される、
方法。
【請求項１２２】
前記方法はさらに、
分散配分で全サブバンドにつきサブバンドＣＱＩを決定することと、
全ての、又は最良Ｍサブバンドの、前記サブバンドＣＱＩを、前記最良Ｍサブバンドのインデックスを持つサブバンドとともに、フィードバックすることと、を備える、
請求項１２１に記載の方法。
【請求項１２３】
前記方法はさらに、
分散配分でワイドバンドＣＱＩを決定することと、
前記ワイドバンドＣＱＩをフィードバックすることと、を備える、
請求項１２１に記載の方法。
【請求項１２４】
前記ネットワークでは各セクタにて複数のアンテナにわたって単一のデータストリームが送信され、事前定義されたプリコーダは、リソースブロック（ＲＢ）が持続する間、あるいはＲＢのグループが持続する間は一定に保たれ、各ＲＢにおいてデータとパイロットは同じプリコーダを使用してプリコードされる、請求項１２１に記載の方法。
【請求項１２５】
前記通信ネットワークはＯＬ領域を使用する、請求項１２４に記載の方法。
【発明の詳細な説明】
【技術分野】
【０００１】
本発明は無線通信に関し、より詳細には無線システムにおける干渉軽減を含むパイロット設計に関する。
【０００２】
関連出願の相互参照
本特許出願は、「データ衝突を避けたインタレースパイロット（Data Collision Avoided Interlaced Pilots）」と題した４２７／ＣＨＥ／２００９、「無衝突インタレースパイロットパターン及びパイロット系列（Collision free interlaced pilot patterns and pilot sequences）」と題した１９３０／ＣＨＥ／２００９、「ＯＬ  ＭＩＭＯ領域におけるダウンリンクパイロット及びデータ送信（Downlink Pilots and Data Transmission in OL MINO Region）」と題した２０９３／ＣＨＥ／２００９、「干渉軽減のための無線システムにおけるランク１領域（Rank one Region in Wireless Systems for Interference Mitigation）」と題した２０９５／ＣＨＥ／２００９、及び「ＯＲ領域におけるＣＤＲ及びパイロット仕様（CDR and Pilot Specification in OL Region）」と題した２８１５／ＣＨＥ／２００９という、インド特許仮出願に基づく優先権を主張する。
【背景技術】
【０００３】
無線ネットワークは通常、サービスエリア全体をカバーするため多くの小さいセルからなる。各セルはさらに多数のセクタに分割される。各セル／セクタは基地局（ＢＳ）と多数の移動局（ＭＳ）とを有することがある。１セル当たり３−セクタからなるセルラーシステムを図１に示す。セクタ内のＭＳは固定、遊動、又は可動である。ＢＳからＭＳへの通信はダウンリンク又は順方向リンクと呼ばれる。同様に、ＭＳからＢＳへの通信はアップリンク又は逆方向リンクと呼ばれる。ＩＥＥＥ８０２．１６ｍシステムではＢＳが先進的ＢＳ（ＡＢＳ）と表示され、ＭＳは先進的ＭＳ（ＡＭＳ）と表示される。同様に、ＬＴＥ／ＬＴＥ−ＡｄｖａｎｃｅｄではＢＳがｅ−ＮｏｄｅＢと表示され、ＭＳはＵＥと表示される。
【０００４】
ＩＥＥＥ８０２．１６ｍとＬＴＥとＬＴＥ−Ａｄｖａｎｃｅｄはダウンリンクに直交周波数分割多元接続（ＯＦＤＭＡ）技術を使用するブロードバンド無線規格である。ＯＦＤＭＡに基づくシステムのブロック図を図２に示す。ＩＥＥＥ８０２．１６ｍはＯＦＤＭＡを使用し、ＬＴＥ／ＬＴＥ−ＡｄｖａｎｃｅｄはアップリンクにＤＦＴ拡散ＯＦＤＭＡ（別称ＳＣＦＤＭＡ）技術を使用する。
【０００５】
ＩＥＥＥ８０２．１６ｍ、ＬＴＥ、及びＬＴＥ−Ａｄｖａｎｃｅｄ規格では、Ｐ個のサブキャリアとＱ個のＯＦＤＭシンボルからなる、あるいはＰ個のサブキャリアとＱ個のＯＦＤＭシンボルの倍数からなる、リソースブロック（ＲＢ）又は物理リソースユニット（ＰＲＵ）と呼ばれる時間・周波数グリッドの中でリソースが配分される。Ｐ及びＱの値は任意の整数であり、Ｐ及びＱの値は個々の規格に応じて異なる。Ｐ個のサブキャリアは物理的に連続するかあるいは分散し、分散する場合の順列はサブキャリア方式かサブキャリアグループ方式となる。
【０００６】
ダウンリンクでは単一のユーザかユーザ群に一つ以上のＲＢが意図され、アップリンクでは一つ以上のＲＢが送信器に割り当てられ、数台の送信器が同時に送信することがある。ＰＳＫ／ＱＡＭ入力データは個別のサブキャリアにマッピングされ、ＮポイントＩＤＦＴを取る前には未使用サブキャリアにゼロが埋められる。
【０００７】
Ｐ個のサブキャリアが隣接する場合、チャネル依存マルチユーザスケジューリング（ＣＤＳ）を行い、システムのスループットを向上させることができる。ＣＤＳでは良好なチャネル品質によりリソースを要求するユーザがスケジューリングにおいて優先される。分散モードでは使用可能な帯域幅全体にわたってＰ個のサブキャリアが分散され（例えばトーンにわたり高速ホッピングを含む疑似ランダム方式）、隣接トーンからの干渉は平均化され、周波数ダイバーシティが本質的に利用される。
【０００８】
連続的リソースユニット（ＣＲＵ）としても知られる局部的リソースユニットは局在リソース配分にわたって連続するサブキャリア群を含む。ＣＲＵの最小サイズはＰＲＵのサイズに、すなわちＰ個のサブキャリア×Ｑ個のＯＦＤＭＡシンボルに等しい。ユーザに、又はユーザ群に配分されるリソースは、基本的リソースユニットの倍数となり、これは連続するかあるいは分散される。ＩＥＥＥ８０２．１６ｍ規格においては、Ｎ１の連続する基本的リソースユニットはサブバンドと呼ばれ、Ｎ２の連続するリソースユニットはミニバンドと呼ばれる。Ｎ１とＮ２は正の整数である。Ｎ１の典型的な数は３、４、又は５であり、Ｎ２は１又は２である。周波数パーティションで使用可能なミニバンドＣＲＵは二通りのグループに分割できる。第１のグループはミニバンドＣＲＵそのものとして使用され、第２のグループは、サブキャリア、又はサブキャリアの対、サブキャリア（タイル）順列分散リソースユニット（ＤＲＵ）のグループを作るため使用される。
【０００９】
ＩＥＥＥ８０２．１６ｍシステムではスケーラビリティ、多元接続をサポートするため使用可能な全物理リソースが論理リソースに分割される。この論理リソースは論理リソースユニット（ＬＲＵ）と呼ばれ、各ＬＲＵは１８の連続的ＣＲＵから、あるいは使用可能な帯域幅全体にわたるペアワイズサブキャリア順列（ＤＲＵ）とＱ個の連続するＯＦＤＭシンボルから、なる。ＬＲＵがＣＲＵからなる場合、各ＬＲＵはさらに、Ｎ２＝１により１８の連続するサブキャリアからなるミニバンドＣＲＵ（ＮＬＲＵ）と、Ｎ１＝４により７２の連続するサブキャリアからなるサブバンドＣＲＵ（ＳＬＲＵ）とに分割される。ＤＲＵがＮＬＲＵから導き出される場合、ＬＲＵは分散論理リソースユニット（ＤＬＲＵ）と呼ばれ、ＬＲＵは１８のサブキャリアからなる。ＩＥＥＥ８０２．１６ｍシステムにおいて、ＤＬＲＵは周波数パーティションの中で分散リソースにわたって広がる対をなすサブキャリアのグループを含む。ＤＬＲＵを形成する最小単位はトーン対と呼ばれる一対のサブキャリアに等しい。
【００１０】
ＩＥＥＥ８０２．１６ｍ規格のダウンリンクで使用されるＲＢ又はＰＲＵ構造の例を図４及び図５に示す。全てのＰＲＵでいくつかのサブキャリアがパイロットトーンのため確保され、パイロットトーンは送信器と受信器との間のチャネルを推定するため使用される。ＯＦＤＭＡシステムにおいて、局在及び分散サブチャネライゼーション法はシングルユーザ及びマルチユーザダイバーシティのメリットを得る上で大きな柔軟性を提供する。
【００１１】
先進的エアインターフェイス基本フレーム構造を図３に示す。２０ｍｓのスーパーフレームは４つのサイズが等しい５ｍｓ無線フレームに分割される。５ＭＨｚ、１０ＭＨｚ、又は２０ＭＨｚのチャネル帯域幅を使用すると、各５ｍｓ無線フレームはさらにＧ＝１／８及び１／１６の場合に８個の先進的エアインターフェイス（ＡＡＩ）サブフレームからなる。Ｇ＝１／４の場合、５ｍｓ無線フレームは７個のＡＡＩサブフレームからなる。８．７５ＭＨｚのチャネル帯域幅で５ｍｓ無線フレームはＧ＝１／８及び１／１６の場合に７個のＡＡＩサブフレームからなり、Ｇ＝１／４の場合は６個のＡＡＩサブフレームからなる。７ＭＨｚのチャネル帯域幅で５ｍｓ無線フレームはＧ＝１／１６の場合に６個のＡＡＩサブフレームからなり、Ｇ＝１／８及びＧ＝１／４の場合は５個のＡＡＩサブフレームからなる。ＡＡＩサブフレームはＤＬ又はＵＬ送信のため割り当てられる。ＡＡＩサブフレームには以下の４種類がある。
１）６個のＯＦＤＭＡシンボルからなるタイプ１のＡＡＩサブフレーム
２）７個のＯＦＤＭＡシンボルからなるタイプ２のＡＡＩサブフレーム
３）５個のＯＦＤＭＡシンボルからなるタイプ３のＡＡＩサブフレーム
４）９個のＯＦＤＭＡシンボルからなるタイプ４のＡＡＩサブフレーム。このタイプは無線ＭＡＮ−ＯＦＤＭＡフレームをサポートする場合に８．７５ＭＨｚチャネル帯域幅のＵＬ  ＡＡＩサブフレームのみに適用される。Ｑのサイズは上記のＡＡＩサブフレームのタイプに左右される。
【００１２】
この基本フレーム構造はＨ−ＦＤＤ  ＡＭＳ操作を含むＦＤＤ及びＴＤＤ二重化方式に適用される。ＴＤＤシステムでの各無線フレームにおけるスイッチングポイント数は２であり、スイッチングポイントは方向の変化として、すなわちＤＬからＵＬ又はＵＬからＤＬの変化として定義される。Ｈ−ＦＤＤ  ＡＭＳがＦＤＤシステムに含まれる場合、フレーム構造はＨ−ＦＤＤ  ＡＭＳの観点からＴＤＤフレーム構造に類似する。ただしＤＬ及びＵＬ送信は二つの異なる周波数帯で行われる。ＴＸ及びＲＸ回路の切り替えを可能にするため、ＤＬ及びＵＬ間とＵＬ及びＤＬ間には送信ギャップが必要となる。
【００１３】
データバーストは１個のＡＡＩサブフレームを占め（すなわち、デフォルトＴＴＩ送信）、あるいは連続する複数のＡＡＩフレームを占める（すなわち、ロングＴＴＩ送信）。ＡＭＳに割り当てられる二つのロングＴＴＩバーストはいずれも部分的に重なり合わない。つまりＦＤＤにおいて二つのロングＴＴＩバーストは同じ４個のサブフレームにまたがるか、あるいは重なり合わない。ＦＤＤにおけるロングＴＴＩはＤＬとＵＬの両方で４個のＡＡＩサブフレームである。ＤＬ（ＵＬ）の場合、ＴＤＤにおけるロングＴＴＩは１フレーム内の全ＤＬ（ＵＬ）ＡＡＩサブフレームである。
【００１４】
チャネル推定、ＳＩＮＲ等のチャネル品質指標（ＣＱＩ）の測定、周波数オフセット推定等を可能にするには、ダウンリンクにおいてパイロットサブキャリア上での既定（既知）シーケンスの送信が必要である。様々な伝搬環境及びアプリケーションでシステム性能を最適化するため、ＩＥＥＥ８０２．１６ｍのＡＡＩは一般パイロット構造と専用パイロット構造をサポートする。一般及び専用パイロットにおける分類は、一般及び専用パイロットの使用に関して行われる。一般パイロットは全てのＭＳによって使用され、パイロットは同じＰＲＵ内のデータサブキャリアと同様にプリコードされる。専用パイロットは局所配分と分散配分の両方で使用される。専用パイロットは特定のリソース配分に関連し、前記特定のリソース配分に配分されたＭＳによって使用されることが意図される。従って専用パイロットは、リソース配分のデータサブキャリアと同様にプリコード又はビーム形成される。パイロット構造は８送信（Ｔｘ）ストリームまで定義され、一般及び専用パイロットのため統一パイロットパターン設計がある。各Ｔｘストリームについてパイロット密度は等しいが、必ずしもダウンリンクＡＡＩサブフレームの各ＯＦＤＭＡシンボルについてパイロット密度は等しいとは限らない。さらに、同じＡＡＩサブフレームの中には一つのＭＳに割り当てられたデータバーストの各ＰＲＵにつき同数のパイロットがある。パイロットパターンはＰＲＵの中で定義される。専用及び一般パイロットシナリオで二つのＤＬデータストリームに使用される基本パイロットパターンを図４に示す。サブキャリアインデックスは上から下へ増加し、ＯＦＤＭシンボルインデックスは左から右へ増加する。図４の部分図（ａ）と部分図（ｂ）は、ＰＲＵにおけるパイロットストリーム１とパイロットストリーム２のパイロット位置をそれぞれ示している。パイロットサブキャリア上の数字は該当するパイロットストリームを表す。「Ｘ」でマークされたサブキャリアはパイロットやデータが送信されないヌルサブキャリアである。基本パイロットパターンの周期シフティングによりインタレースパイロットパターンが生成される。インタレースパイロットパターンは異なるＢＳにより１及び２ストリームに使用される。１ストリームの場合のインタレースパイロットパターンを図５に、２ストリームの場合のストリーム１及びストリーム２のインタレースパイロットパターンを図６及び図７にそれぞれ示す。各ＢＳは、図５、図６、及び図７に示した三つのパイロットパターンセット（パイロットパターンセット０、１、及び２）のいずれか一つを選択する。セルＩＤ＝ｋを持つ特定のＢＳによって使用されるパイロットパターンセットのインデックスはｐｋとして表される。パイロットパターンセットのインデックスは式ｐｋ＝ｆｌｏｏｒ（ｋ／２５６）に従いセルＩＤにより決定される。
【００１５】
１ストリームの場合、各ＡＢＳはさらに、各パイロットパターンセットの中で二つのストリームセット（ストリームセット０及び１）のいずれか一方を選択する。ｓｋとして表されるストリームのインデックスは式ｓｋ＝ｍｏｄ（ｋ，２）に従い決定される。５個のシンボルからなるＡＡＩサブフレームの場合は、図４に示す各パイロットパターンセットにおける最後のＯＦＤＭシンボルが削除される。７個のシンボルからなるＡＡＩサブフレームの場合は、図４に示す各パイロットパターンセットにおける最初のＯＦＤＭシンボルが第７のシンボルとして追加される。
【００１６】
ＢＳ及びＭＳ間の通信にはスペクトルが必要である。スペクトルは非常に乏しい資源であり、また一部の国では防衛や宇宙等の用途のため一部の帯域部分が占有されるために、スペクトルはさらに制限される。全てのセル／セクタで使用可能なスペクトルは再使用される。リユース率に応じて異なるセル／セクタで同じ周波数帯（帯域幅）が再使用されるため、領域間の境界ではサブキャリアが干渉により深刻な影響を被る。この現象は同一チャネル干渉（ＣＣＩ）と呼ばれ、セルエッジ領域ではサブキャリアの性能がＣＣＩにより深刻な影響を被る。これは主にセルエッジのスループットを制限し、結果的にはシステム全体のスループットを低下させる。サブキャリアの高データ転送速度要求を満たすため使用可能な周波数リソースが全てのセクタで周波数リユース１方式で使用されることが見込まれるＩＥＥＥ８０２．１６ｍ、ＬＴＥ、及びＬＴＥ−Ａｄｖａｎｃｅｄ等の新しいブロードバンド無線技術の場合は、問題がさらに深刻化する。このため前述した新しいブロードバンド無線技術の開発にあたっては、干渉を軽減することが主要な課題となる。
【００１７】
干渉は、干渉抑制最小平均二乗誤差（ＭＭＳＥ）受信器等、簡素な受信器処理技術を用いて軽減できる。共役データ反復（ＣＤＲ）と呼ばれる別の干渉軽減技術では、送信信号の複数コピーと、複数の受信アンテナと、ＭＭＳＥ受信器を頼りにセル／セクタにわたってデータを所定の方法で反復する。これらの技術を使用することにより干渉を抑制でき、結果的に信頼性とセルエッジユーザのスループットを向上させることができる。
【００１８】
干渉抑制ＭＭＳＥ受信器の設計で主要な課題の一つは「干渉プラスノイズ」共分散行列と所期フェージングチャネルの良好な品質推定を得ることである。チャネル推定の目的で、また干渉プラスノイズ共分散推定のため、基地局（ＢＳ）により、あるいはＭＳにより、基準信号又はパイロットが送信される。干渉制限シナリオでは、周波数再使用のため、これらの基準信号又はパイロットもまた重度のＣＣＩの影響を被る。その結果、干渉共分散推定とチャネル推定の品質に影響が及び、さらにはセルエッジユーザのスループットに影響がおよぶ。
【００１９】
図１に示す三つのセクタセルからなるセルラーレイアウトを検討する。通常、セルエッジユーザにとって最も強い干渉は、自身の所期セクタ番号とは異なるセクタ番号を持つセクタから受ける。例えば図１で、セクタ番号０のユーザはセクタ番号１及び２を持つ周囲のセクタから最も強い干渉を受ける。
【００２０】
パイロットシンボルにより観測されるＳＩＮＲは、インタレースパイロットを使用して異なるセクタ番号を持つセクタ間でのパイロット対パイロット衝突を回避することにより改善できる。各セクタ番号には、ＰＲＵ内の二次元周波数・時間グリッドにおける１セットの位置にて、異なるセクタ番号を持つ他のセクタによって使用されるパイロットパターンと衝突しない、パイロットパターンが割り当てられる。例えば図４にはＩＥＥＥ８０２．１６ｍでセクタ０によって使用されるパイロットパターンを示している。図５、図６、及び図７に示すように、セクタ１とセクタ２はセクタ０によって使用されるパイロットパターンの周期的にシフトされたバージョンを使用する。パイロットシンボルにより観測されるＳＩＮＲはまた、データトーンに対しパイロットトーンの電力をブーストすることにより改善できる。パイロットトーンは近接セクタのデータトーンから干渉を受ける。このパイロットブースティングはパイロットトーンの受信信号対干渉プラスノイズ比（ＳＩＮＲ）の改善に役立つ。
【００２１】
パイロットトーンはデータトーンの電力を犠牲にしてブーストされる。総送信電力を同じに保つためデータトーンの電力は減らさなければならない。これにより、データＳＩＮＲは減り、結果として誤り率が高くなる。近接セクタのパイロット位置と一致する位置で送信されるデータトーンは重度の干渉に遭遇し、結果としてデータ消去が起こる。ＰＲＵ内のパイロット数は十分な平均化を得るにあたって少ないため、パイロットトーンから測定される干渉共分散推定は正確でない。また、パイロットトーンにより干渉されるデータトーンの干渉共分散はデータトーンにより干渉されるそれと異なる。干渉抑制受信器は従来の技術とともに効率的に機能しない場合がある。
【００２２】
ＣＱＩ（例えば処理後ＭＭＳＥ  ＳＩＮＲ推定）測定の信頼性に影響を与えるさらなる側面は、送信器で使用されるマルチアンテナプリコーダである。所期信号と干渉信号が送信のため複数のアンテナを使用する場合、受信器で測定される信号ならびに干渉は、それぞれの送信器で使用されるマルチアンテナプリコーダの関数になる。これはそれぞれの受信器からのフィードバックに基づき周波数及び時間において連続的に変化する。閉ループプリコード化送信を使用するシステムにおいてＣＱＩは、時として変化する。ＣＱＩの変化によりマルチユーザスケジューラは不適切な変調及び符号化レート（ＭＣＳ）を割り当て、結果的にシステムキャパシティは低下する。
【００２３】
ＩＥＥＥ８０２．１６ｍ規格はダウンリンクで開ループ（ＯＬ）領域を使用する。ＯＬ領域は、閉ループランクアダプテーションなしで所定のパイロットパターンと所定の開ループＭＩＭＯモードを使用する時間・周波数リソースと定義される。開ループ領域は、プリコーダとストリーム数が時間とともに変化しない安定した干渉環境を提供するため、基地局が異なるセル／セクタにわたってその開ループＭＩＭＯ送信を調整することを可能にする。開ループ領域に使用されるリソースユニットはダウンリンクブロードキャストメッセージの中で指示され、リソースユニットはセルにわたって整列する。
【００２４】
ＤＬ  ＯＬ領域はｒａｎｋ−１  ＯＬ  ＭＩＭＯ領域からなり、ここでは単一のデータストリームのみが複数のアンテナにわたって送信され、単一のストリームｒａｎｋ−１  ＯＬプリコーディングを使用する。プリコーダはリソースブロック（ＲＢ）が持続する間、又はＲＢのグループが持続する間は一定に保たれ、プリコーダはある一つのリソースブロック（又はリソースブロックグループ）から別のリソースブロック（又はリソースブロックグループ）に変化することがある。ＯＬ領域において、各ＲＢで使用されるプリコーダは事前に定義される。各ＲＢにおいてデータとパイロットは同じプリコーダを使ってプリコードされる。
【発明の概要】
【発明が解決しようとする課題】
【００２５】
本発明の目的は、パイロットシンボルにて干渉を軽減する簡素な方法を提案し、良好な干渉測定を可能にし、効率的な干渉抑制受信器と、処理後ＳＩＮＲに基づく正確なチャネル品質情報（ＣＱＩ）推定を可能にし、ｒａｎｋ−１  ＯＬ領域においてＣＤＲ及び非ＣＤＲモードのための正確で効率的なマルチユーザスケジューリングを可能にすることである。ただし、本発明はｒａｎｋ−１  ＯＬ領域に限定されない。
【００２６】
本実施形態のこれら及び他の側面は、以下の説明及び添付の図面と共に検討することにより、さらに良く認識され理解されよう。ただし、以下の説明は好適な実施形態とその多くの特定の詳細を示しているが、それらは単なる例示であり、本発明を限定するものではないことを理解されたい。本実施形態の精神を逸脱することなく本実施形態の範囲内で多くの変更及び変形をなすことができ、本実施形態はそれらの変形例を含む。
【００２７】
本発明は添付の図面で説明されるが、それらの図面を通じて同様の参照符号は、異なる図面において対応する部分を示す。本実施形態は、それらの図面を参照しつつ、以下の説明からより良く理解されよう。
【図面の簡単な説明】
【００２８】
【図１】図１は、本発明の一実施形態に係る三つのセクタセルからなるセルラーレイアウトを示す図である。
【図２】図２は、本発明の一実施形態に係るＯＦＤＭＡ方式システムのブロック図である。
【図３】図３は、本発明の一実施形態に係る５、１０、及び２０ＭＨｚチャネル帯域幅の基本フレーム構造を示す図である。
【図４】図４は、本発明の一実施形態に係る２ＤＬデータストリームに使用されるパイロットパターンを示す図である。
【図５】図５は、本発明の一実施形態に係る開ループ領域外で１データストリームのインタレースパイロットパターンを示す図である。
【図６】図６は、本発明の一実施形態に係る２データストリームのストリーム０上でのインタレースパイロットパターンを示す図である。
【図７】図７は、本発明の一実施形態に係る２データストリームのストリーム１上でのインタレースパイロットパターンを示す図である。
【図８】図８は、本発明の一実施形態に係る６個のＯＦＤＭシンボルからなるＡＡＳサブフレームのパイロットパターンセット０のＣＯＦＩＰパイロット構造を示す図である。
【図９】図９は、本発明の一実施形態に係る６個のＯＦＤＭシンボルからなるＡＡＳサブフレームのパイロットパターンセット１のＣＯＦＩＰパイロット構造を示す図である。
【図１０】図１０は、本発明の一実施形態に係る６個のＯＦＤＭシンボルからなるＡＡＳサブフレームのパイロットパターンセット２のＣＯＦＩＰパイロット構造を示す図である。
【図１１】図１１は、本発明の一実施形態に係る５個のＯＦＤＭシンボルからなるＡＡＳサブフレームのパイロットパターンセット０のＣＯＦＩＰパイロット構造を示す図である。
【図１２】図１２は、本発明の一実施形態に係る５個のＯＦＤＭシンボルからなるＡＡＳサブフレームのパイロットパターンセット１のＣＯＦＩＰパイロット構造を示す図である。
【図１３】図１３は、本発明の一実施形態に係る５個のＯＦＤＭシンボルからなるＡＡＳサブフレームのパイロットパターンセット２のＣＯＦＩＰパイロット構造を示す図である。
【図１４】図１４は、本発明の一実施形態に係る８個のパイロットを含むＣＯＦＩＰパターンを示す図である。
【図１５】図１５は、本発明の一実施形態に係る６個のＯＦＤＭシンボルからなるＡＡＳサブフレームのパイロットパターンセット０のＣＯＦＩＰパイロット位置及びパイロットパターン割り当てを示す図である。
【図１６】図１６は、本発明の一実施形態に係る６個のＯＦＤＭシンボルからなるＡＡＳサブフレームのパイロットパターンセット１のＣＯＦＩＰパイロット位置及びパイロットパターン割り当てを示す図である。
【図１７】図１７は、本発明の一実施形態に係る６個のＯＦＤＭシンボルからなるＡＡＳサブフレームのパイロットパターンセット２のＣＯＦＩＰパイロット位置及びパイロットパターン割り当てを示す図である。
【図１８】図１８は、本発明の一実施形態に係る５個のＯＦＤＭシンボルからなるＡＡＳサブフレームのパイロットパターンセット０のＣＯＦＩＰパイロット位置及びパイロットパターン割り当てを示す図である。
【図１９】図１９は、本発明の一実施形態に係る５個のＯＦＤＭシンボルからなるＡＡＳサブフレームのパイロットパターンセット１のＣＯＦＩＰパイロット位置及びパイロットパターン割り当てを示す図である。
【図２０】図２０は、本発明の一実施形態に係る５個のＯＦＤＭシンボルからなるＡＡＳサブフレームのパイロットパターンセット２のＣＯＦＩＰパイロット位置及びパイロットパターン割り当てを示す図である。
【図２１】図２１は、本発明の一実施形態に係る多項式Ｘ３＋Ｘ＋１によるＰＲＢＳジェネレータを示す図である。
【図２２】図２２は、本発明の一実施形態に係るリユース７パイロットプランニングによるセルラーレイアウトを示す図である。
【図２３】図２３は、本発明の一実施形態に係る２個の送信器によるＣＤＲ符号化を示す図である。
【図２４】図２４は、本発明の一実施形態に係るＣＤＲ領域を示す図である。
【図２５】図２５は、本発明の一実施形態に係るＰＲＵ内でのＣＤＲ符号化を示す図である。
【図２６】図２６は、本発明の一実施形態に係る一対のＰＲＵを使用するＣＤＲ符号化を示す図である。
【図２７】図２７は、本発明の一実施形態に係るマルチアンテナプリコーディング操作を示す図である。
【図２８】図２８は、本発明の一実施形態に係るベースバンド操作を示す図である。
【図２９】図２９は、本発明の一実施形態に係るマルチアンテナ受信器を示す図である。
【図３０】図３０は、本発明の一実施形態に係るＣＤＲマルチアンテナ受信器を示す図である。
【図３１】図３１は、本発明の一実施形態に係るＣＯＦＩＰを使用するマルチアンテナ受信器に関わるステップを示す方法のフローチャートである。
【図３２】図３２は、本発明の一実施形態に係るＣＯＦＩＰを使用するＣＤＲマルチアンテナ受信器におけるステップを示す方法のフローチャートである。
【図３３】図３３は、本発明の一実施形態に係るサブバンド及びマルチバンドのためのＣＱＩ計算を示す図である。
【発明を実施するための形態】
【００２９】
本発明とその様々な特徴及び有利な詳細について、添付の図面で説明され以下の説明で詳述される非限定的な実施形態を参照し、さらに十分に説明する。本実施形態を不必要に分かりにくくしないよう、公知の構成要素及び処理技術についての説明は省略する。以下で用いられる例は、本実施形態が実施される方法を容易に理解できるようにし、さらに当業者が本実施形態を実施できるようにすることを意図したものに過ぎない。従って、それらの例示は本実施形態の範囲を限定するものと解釈すべきではない。
【００３０】
本願の実施形態は、パイロットシンボルにて干渉を軽減する方法を達成するほか、良好な干渉測定を可能にし、効率的な干渉抑制受信器と、処理後ＳＩＮＲに基づく正確なチャネル品質情報（ＣＱＩ）推定を可能にし、結果的にｒａｎｋ−１  ＯＬ領域においてＣＤＲ及び非ＣＤＲモードのための正確で効率的なマルチユーザスケジューリングを可能にする。ただし本発明はｒａｎｋ−１  ＯＬ領域に限定されない。図面には、より具体的には図１から図３３には、好適な実施形態が示されており、同様の参照符号は対応する部分を示すものである。
【００３１】
本願の実施形態は、パイロットシンボルにて干渉を軽減する方法を提案するほか、良好な干渉測定を可能にする。パイロット設計は以下の設計基準に基づく。
１）Ｎ個のセクタからなるクラスタには、セクタ番号と呼ばれる０からＮ−１の番号が与えられる。Ｎ個のセクタは、モジュロＮ演算を使用するか他の何らかの手段によりセル／セクタＩＤから、又はＢＳＩＤから、導き出すことができる。Ｎは任意の整数である。
２）セクタ番号が与えられた各セクタにはパイロットパターンが割り当てられる。各セクタに割り当てられたパイロットパターンは、パイロットトーン送信のときに異なるセクタ番号を持つ他のセクタとのパイロット・オン・パイロット衝突を回避する。
３）セクタ番号が与えられたセクタは、異なるセクタ番号を持つ他のセクタのパイロットに対する干渉を、それらのパイロットパターンと一致する位置でデータ又はパイロットを送信しないことにより回避する。
【００３２】
基本的に「Ｎ」個の送信器からなるシステムを検討する。ある特定の送信器が所定の時間・周波数リソースにわたってパイロット信号を送信するとき、他の全ての送信器は沈黙を保つ。受信器は残りのＮ−１個の送信器から干渉を受けずにチャネル状態情報を推定でき、同時に受信器は、Ｎ−１の沈黙期間から干渉共分散か個別の干渉チャネル状態を測定できる。「Ｎ」個の送信器からなるグループは、周波数リユース構造を使用して地理的に分離された領域内で再使用される。別の実施形態では、マルチアンテナプリコーダを使用してパイロット信号がプリコードされる。プリコーダは、好ましくはパイロットとデータとで同じである。
【００３３】
Ｎ＝３である実施形態において、所定のＰＲＵセットはＰＲＵのＢＳとは異なるＣｅｌｌ＿ＩＤを持つＢＳのパイロット位置でヌルトーンを送信できる。図８、図９、及び図１０に示すように、ヌルトーンは１−ストリームインタレースパイロットパターンの中に導入される。Ｃｅｌｌ＿ＩＤ＝ｋを持つ特定のＢＳによって使用されるＣＯＦＩＰタイプのインデックスはｐｋとして表される。ＣＯＦＩＰタイプのインデックスは式ｐｋ＝ｍｏｄ（ｋ，Ｎ）に従いＣｅｌｌ＿ＩＤより決定される。同一セル内のセクタのセルＩＤは連続する番号であり、一つのセルにつき三つのセクタがあり、標準リユース１／３セクタプランニングが想定される。別の実施形態では、式ｐｋ＝ｆｌｏｏｒ（ｋ／２５６）に従いＣｅｌｌ＿ＩＤによりＣＯＦＩＰタイプのインデックスを決定できる。この実施形態において同一セル内のセクタのセルＩＤは２５６に分かれ、例えば同一セル内のセクタのセルＩＤは０、２５６、及び５１２であり、標準リユース１／３プランニングが想定される。
【００３４】
図８、図９、及び図１０において「Ｐ」はパイロットトーンを表し、「Ｘ」はヌルトーンを表しており、その位置でデータ又はパイロットトーンは送信されない。ヌルトーンはパイロット位置での干渉レベルを軽減する。ヌルトーンはまた、干渉チャネルに関する測定を容易にする。
【００３５】
ＯＦＤＭシンボルには１リソースブロック（ＲＢ）当たり偶数個のデータトーンがある（例えば１４又は１６）。サブキャリア対は８０２．１６ｍサブキャリア順列に従い周波数ファースト方式で配分できる。それぞれのサブキャリア対はＳＦＢＣ（［ｓ１（−ｓ２＊）ｓ２（ｓ１＊）］）、ＣＤＲ（［ｓ１ｓ２＊］）、又は非ＣＤＲ等を含むことができる。
【００３６】
一つのＲＢ当たり、各シンボルに偶数個サブキャリアの制約により、第８及び第９のサブキャリアでは６個の「パイロット＋ヌルトーン」を上、下、又は右に移動させることができる。（ｘ，ｙ）をパイロット／ヌルトーンの位置とし、ここでｘはシンボル、ｙはサブキャリアインデックスである。第８及び第９のサブキャリアにおける６個のパイロット／ヌルトーンの位置は（１，８）、（１，９）、（３，８）、（３，９）、（５，８）及び（５，９）である。
【００３７】
異なる時間及び周波数選択性ファクタにてチャネル推定を最適化するため、これらのパイロット位置において多数の変形例を提案できる。パイロット／ヌルトーン位置の可能な変形例は（１＋δｔ，８＋δｆ１），（１＋δｔ，９＋δｆ２），（３＋δｔ，８＋δｆ３），（３＋δｔ，９＋δｆ４），（５＋δｔ，８＋δｆ５），（５＋δｔ，９＋δｆ６）と表すことができ、
【００３８】
【数１】
2012519998.tif 000003
である。
【００３９】
５個のシンボルからなるサブフレームの場合、図８、図９、及び図１０に示した各パイロットパターンセットにおける最後のＯＦＤＭシンボルは新たなパターンを形成するため削除できる。別の実施形態では、図８、図９、及び図１０に示した各パイロットパターンセットにおける最後のＯＦＤＭシンボルは削除され、図１１、図１２、及び図１３に示すようにパイロット／ヌルトーンは内側に移動される。
【００４０】
７個のシンボルからなるサブフレームの場合、図８、図９、及び図１０に示した各パイロットパターンセットにおける最初のＯＦＤＭシンボルは第７のシンボルとして追加される。別の実施形態では、パイロットレスＯＦＤＭシンボルが第７のシンボルとして図８、図９、及び図１０に示したパターンセットに追加される。
【００４１】
ＣＯＦＩＰの別の変形例は、１８×６サイズの１リソースブロック（ＲＢ）につきＯＦＤＭシンボルにおけるデータトーン数を偶数（例えば、１４又は１６又は１８）に保つことにより得られ、パイロットトーンの数は４又は６又は８とする。１８×５及び１８×７の場合のＣＯＦＩＰパターンは、１８×６のＣＯＦＩＰパターンから、それぞれいずれか１列を削除し、いずれか１列を追加することにより得られる。図１４は各ＰＲＵにて８個のパイロットトーンを含む別のＣＯＦＩＰ構造を示す図である。図１４では、特定の行にあるパイロット及びヌルトーンを上下にずらすことにより別の変形例を作ることができる。
【００４２】
本願の実施形態はパイロット及びデータの異なる再使用パターンを促進する。ＯＦＤＭＡシステムではパイロットとデータトーンが同じＰＲＵで送信されるが、パイロットトーンはリユース１／Ｍ１を使用でき、データはリユース１／Ｍ２を使用できる。別の実施形態ではパイロットはリユース１／３を使用し、データはリユース１を使用する。さらに別の実施形態ではパイロットはリユース率１／４又は１／５又は１／６又は１／７又は１／１２を使用できる。リユースが低いとチャネル及び共分散推定の品質は理想的値に近づく。例えばチャネル及び共分散推定の品質は「ｎ」に近づく。パイロットトーンに対する他のセクタのデータトーンからの干渉は完全に回避される。セクタは、異なるセクタ番号を持つ他のセクタに割り当てられたパイロットパターンと一致するトーン位置でヌルトーンを送信する。この方法には二つの重要な利点がある。
１）パイロットトーンは、同じセクタ番号を持つセクタにより送信されるパイロットトーンからの弱い干渉を除き、ほとんど干渉を受けない。パイロットトーンにおける改善されたＳＩＮＲはチャネル推定の精度を改善する。
２）他のセクタ番号に割り当てられたパイロットパターンと一致するトーン位置を使用し、正確な干渉共分散推定を、又は支配的干渉源のチャネル推定を得るほか、それらの周波数位置で残留干渉共分散を得る。この情報は、干渉共分散を明示的に構成するため、又は残留干渉をプリホワイトニングしながら信号と支配的干渉源を検出する復調器を使用するために使用できる。
【００４３】
この構造はＵＬとＤＬの両方で使用できる。この構造は、ＯＦＤＭＡベースの規格でチャネル推定と干渉抑制を改善する上でとりわけ有用である。
【００４４】
ＯＦＤＭＡネットワークでは、セルエッジユーザに対応するため、及び／又はチャネル送信を制御するため、割り当てられるｒａｎｋ−１  ＯＬＣＤＲ領域の中でＣＤＲ機能を実施できる。ネットワークはＤＬ又はＵＬでＣＤＲ符号化に使用される所定のｒａｎｋ−１  ＯＬ領域を割り当てる。ＣＤＲ領域はネットワークの各ＢＳにて所定の１セットのリソースユニットからなる（例えば所定の１セットのＰＲＵ、又はスロット、又はタイルがＣＤＲのため確保される）。図２４にＣＤＲ領域を示す。ＣＤＲ領域に関する情報はブロードキャスト制御チャネルにて各ＭＳへ伝達される。
【００４５】
ｒａｎｋ−１  ＯＬＣＤＲ領域において、データとその複素共役は基本ＣＤＲリソースユニットの中で１対のサブキャリアにマッピングされる。基本ＣＤＲリソースユニットは一つ又は複数のＰＲＵ２４０１／ＲＢ／タイルからなり、ＰＲＵ２４０１／ＲＢ／タイルは時間周波数平面にて連続又は分散する。２個のサブキャリアへのデータの複素及び複素共役コピーのマッピングは、ＣＤＲ符号化操作と表される。ＣＤＲ領域では全てのＢＳで同じタイプのＣＤＲ符号化が同期的に適用される。所期信号が２個のサブキャリア上で［Ｄ，Ｄ＊］としてシンボル対で送信されると、データを送信しながら全てのＢＳ（又はセクタ）において同じサブキャリア対で同じＣＤＲ符号化操作が行われる。ＣＤＲ機能はＤＬ又はＵＬのいずれかで、あるいはＤＬ及びＵＬの両方で、独立して実施できる。ＣＤＲがＵＬで実施される場合、ＣＤＲ領域に割り当てられたネットワーク内の全ユーザは同じＣＤＲ符号化操作を行う。
【００４６】
図２５において基本ＣＤＲリソースユニットは一つのＰＲＵであり、［Ｄ，Ｄ＊］として表される複素及び複素共役データ対は当該ＰＲＵの中で２個のサブキャリアへマッピングされる。パイロットトーンのためいくつかのサブキャリアが確保される。パイロットトーンは、望ましくは二相位相変調（ＢＰＳＫ）等の実数値変調を使用する。ＢＰＳＫパイロットは干渉共分散推定に役立つ。パイロットが複素変調を使用する場合は、受信器にて干渉共分散推定を促進するためパイロットもまた共役対で送信される。
【００４７】
図２６で基本ＣＤＲリソースユニットはＰＲＵ対であり、第１のＰＲＵでは１セットのデータサブキャリアが送信され、第２のＰＲＵ２  ２６０２では第１のＰＲＵ１  ２６０１に含まれるデータの複素共役コピーが送信される。第１及び第２のＰＲＵは時間又は周波数において連続するＰＲＵである。第１及び第２のＰＲＵは時間・周波数グリッドの中で分散する場合もある。パイロットトーンは共役対でも送信される。第１のＰＲＵでは第１のパイロットトーンセットが送信され、第２のＰＲＵではその複素共役コピーが送信される。
【００４８】
ＤＬがＯＦＤＭＡを使用するＩＥＥＥ８０２．１６ｍでは、１８のサブキャリアと６個のＯＦＤＭシンボルからなる単一のＰＲＵとなるよう基本ＣＤＲリソースユニットが選ばれ、あるいはＰＲＵは１８のサブキャリアと５個のＯＦＤＭシンボルからなり、あるいはＰＲＵは１８のサブキャリアと７個のＯＦＤＭシンボルからなる。１６ｍＣＤＲ領域の各ＰＲＵでは、複素変調シンボルとその複素共役コピーが１対のサブキャリアで送信される。１対のサブキャリアは時間又は周波数において隣接する場合がある。パイロットトーンのためいくつかのサブキャリアが確保される。パイロットトーンは、望ましくは二相位相変調（ＢＰＳＫ）等の実数値変調を使用する。ＢＰＳＫパイロットは干渉共分散推定に役立つ。パイロットが複素変調を使用する場合は、受信器にて干渉共分散推定を促進するためパイロットもまた共役対で送信される。一実施形態において、ＣＤＲ領域は無衝突インタレースパイロット（ＣＯＦＩＰ）パイロット構造を使用する。ＣＯＦＩＰパイロットを使用する各ＰＲＵにおいて、データとその複素共役はともに隣接するＯＦＤＭサブキャリアにてマッピングされる。データマッピングはパイロット及びヌルトーンを回避する。
【００４９】
ｒａｎｋ−１  ＯＬＣＤＲ領域において受信器はＣＤＲ符号化所期信号といくつかのＣＤＲ符号化干渉源を受信する。複数のサブキャリアから受信信号を収集し、共役データを送信するため使用されるサブキャリアで共役操作を実施した後、各受信器アンテナで受信される信号は、個別のチャネルを経る信号及び干渉データの二通りのコピーを含む。Ｎｒ個の受信器アンテナの場合、ＣＤＲ符号化信号は２＊Ｎｒ個の信号コピーを与える。受信器は干渉を軽減するため２＊Ｎｒ個の信号サンプルを処理する。一実施形態において、２＊Ｎｒ個の各受信信号はフィルタされ、復調の決定基準を得るため集約される。フィルタリングは、復調のための決定基準を得るため、実数値／複素数値加重値により受信信号を加重することと、加重された信号を総計することとを含む。加重値は、平均二乗誤差を極小化することにより、あるいは受信器の処理後ＳＩＮＲを極大化することにより得られる。加重値の計算では、所期信号のチャネル状態情報の推定と、ＣＤＲ符号化干渉プラスバックグラウンドノイズの共分散と、を考慮に入れる。フィルタされた信号は、送信された変調データの復調に使用される。
【００５０】
２個の受信器アンテナの場合の受信器構造を図３０に示す。図中、記号（）＊３００１は複素共役操作を表す。図３０はＢＰＳＫ等の実数値変調によりパイロットトーンが変調される場合のＣＤＲ受信器構造を示している。パイロットトーンは実数値変調を使用するため、各受信器アンテナにて、複素数値受信パイロットと受信パイロット信号の複素共役を収集すると、二つの信号及び干渉コピーが生成される。全受信器アンテナからパイロットサンプルを収集すると全部で４通りのコピーが提供される。パイロットサンプルは、チャネル状態情報とサーマルノイズプラス総干渉の共分散を推定するために使用される。この情報はフィルタ加重値とＣＱＩを得るために使用される。
【００５１】
図３１は、ＣＯＦＩＰを使用するマルチアンテナ受信器に関わるステップを示す方法のフローチャートである。パイロットがＢＰＳＫ等の実数値変調を使用する場合、受信器はまず従来通り２Ｄ−ＭＭＳＥチャネル推定を行う。受信器は推定チャネル状態（３１０１）と既知パイロットの情報を使用し、所期パイロット信号を構成する。干渉サンプルを得るため、再構成されたパイロット（３１０２）信号は受信パイロット信号から差し引かれる（３１０３）。干渉もまた実数値パイロットを使用するため、受信器は干渉サンプルの複素及び複素共役コピーを収集し、パイロットサンプルに含まれるＣＤＲ符号化干渉源の共分散推定にそれらを使用する。この共分散推定は第１の共分散推定と呼ばれる。第２のステップでは、同一セルＩＤのセクタからの干渉を含む第１のヌルトーンセットから干渉サンプルが収集される。これらの干渉サンプルの複素共役コピーが収集される。これらの観測を元に第２の干渉共分散推定が構成される。
【００５２】
第３のステップでは、同一セルＩＤのセクタからの干渉を含む第２のヌルトーンセットから干渉サンプルが収集される。次にこれらの干渉サンプルの複素共役コピーが収集され、これらの観測を使用して第３の干渉共分散推定が構成される（３１０４）。別の実施形態では、総共分散を推定するため三つ全ての共分散推定が集約される（３１０５）。受信器は推定チャネルと総共分散を使用してフィルタリングのための加重値セットを得る。別の実施形態では、総共分散を得るにあたってパイロット信号からの共分散推定は使用されない。ＣＯＦＩＰモードでパイロットが共役対で送信される場合、共分散推定ステップは干渉サンプルの複素及び複素共役コピーを推定に使用する。ＣＤＲ受信器は通常、分散モードにおいて２Ｎｒ−１の干渉源を抑制する。ただし、局所処理後ＳＩＮＲベースマルチユーザスケジューリング（プロポーショナルフェアスケジューリング等）の場合、スケジューラはしばしば、ＣＤＲ符号化信号及び干渉チャネルが合同（又は整合）するサブバンドにおいて、２Ｎｒ−１より多い干渉源の抑制に結びつくよう、ユーザを選択する。固定されたｒａｎｋ−１プリコーダのセットと処理後ＳＩＮＲスケジューリングによるＯＬＣＤＲ領域は５−６より多くの支配的干渉源を処理できる。ＣＯＦＩＰパイロット構造は正確なチャネル及び干渉共分散測定を通じて正確なＣＱＩ推定を保証するため、基地局はスケジューリングとＭＣＳ配分を正確に行うことができる。
【００５３】
別の実施形態ではｒａｎｋ−１  ＯＬ領域にてＣＤＲ符号化なしでＣＯＦＩＰが使用される。ＯＬ領域は固定マルチアンテナプリコーダにより安定した干渉環境を提供し、マルチアンテナＭＭＳＥタイプの受信器はサブバンド局在モードとミニバンド分散モードの両方で高い干渉抑制利得を提供する。特にスケジューリングがＭＭＳＥ受信器の処理後ＳＩＮＲに基づく局所モードでは、スケジューラは高ＳＩＮＲ（又はＣＱＩ）高干渉抑制利得をユーザに割り当てる傾向がある。従来型ＭＭＳＥ受信器は従来型システムでＮｒ−１の干渉源のみ抑制できるが、局所処理後ＳＩＮＲベーススケジューリングはしばしば、信号及び干渉チャネルが合同（又は整合）するサブバンドにおいて、数個の支配的干渉源の抑制に結びつくようユーザを選択する。固定されたｒａｎｋ−１プリコーダのセットと処理後ＳＩＮＲスケジュールによりＯＬ領域は２より多くの支配的干渉源を処理できる。ＣＯＦＩＰパイロット構造は、処理後ＳＩＮＲベースマルチユーザスケジューリングによるｒａｎｋ−１  ＯＬ領域のメリットを実現する上で重要な要素である。
【００５４】
従来のマルチアンテナＭＭＳＥタイプの受信器を図２９に示す。この図では記号（）＊３００１は複素共役操作を表す。ｒａｎｋ−１  ＯＬ領域において受信器はｒａｎｋ−１プリコード化所期信号といくつかのｒａｎｋ−１プリコード化干渉源を受信する。Ｎｒ個の受信信号はフィルタされ、復調の決定基準を得るため集約される。フィルタリングは、復調のための決定基準を得るため、実数値／複素数値加重値により受信信号を加重することと、加重された信号を総計することとを含む。加重値は、平均二乗誤差を極小化することにより、あるいは受信器の処理後ＳＩＮＲを極大化することにより得られる。加重値の計算では、所期信号のチャネル状態情報の推定と、ｒａｎｋ−１プリコード化干渉源プラスバックグラウンドノイズの共分散とを考慮に入れる。フィルタされた信号は、送信された変調データの復調に使用される。図２９は２受信器アンテナの場合の受信器構造を示している。
【００５５】
受信器はまず従来通り２Ｄ−ＭＭＳＥチャネル推定を行う。図３１を参照すると、各セクタにおいて、灰色の背景で示したヌルトーンは第１のヌルトーンセットを表し、灰色の背景がないヌルトーンは第２のヌルトーンセットを表す。ＣＯＦＩＰモードでは数ステップで干渉共分散が推定される。受信器は推定チャネル状態（３２０１）と既知パイロットの情報を使用し、所期パイロット信号を構成する。干渉サンプルを得るため、再構成されたパイロット信号（３２０２）は受信パイロット信号から差し引かれる（３２０３）。この共分散推定は第１の共分散推定と呼ばれる。同一セルＩＤのセクタからの干渉を含む第１のヌルトーンセットから干渉サンプルが収集される。これらの観測を元に第２の干渉共分散推定が構成される（３２０４）。同一セルＩＤのセクタからの干渉を含む第２のヌルトーンセットから干渉サンプルが収集される。これらの観測を元に第３の干渉共分散推定が構成される（３２０５）。一実施形態では、総共分散を推定するため全三つの共分散推定が集約される（３２０６）。受信器は推定チャネルと総共分散を使用してフィルタリングのための加重値一式を得る。一部の実施形態では、総共分散を得るにあたってパイロット信号からの共分散推定は使用されない。
【００５６】
ＭＭＳＥ受信器の干渉除去利得は「干渉プラスノイズ」共分散行列推定の品質に大きく左右される。「干渉プラスノイズ」共分散行列の低複雑度方法を以下に説明する。
ｙｍ，ｋ，ｎはセクタ番号ｍに対応するｋ番目のパイロット位置におけるｎ番目の受信器アンテナにおける測定信号である。
Ｉｍ，ｋ，ｎはセクタ番号ｍに対応するｋ番目のパイロット位置におけるｎ番目の受信器アンテナにおける干渉信号である。
Ｈｋ，ｎは所期セクタのｋ番目のパイロット位置におけるｎ番目の受信器アンテナにおけるフェージングチャネル係数である。
Ｐｋはｋ番目のパイロット位置にて所期セクタにより送信されるパイロットトーンである。
Ｃは干渉プラスノイズ共分散行列である。
ＭａｘＳｅｃＮｏはＮ−１に等しく、Ｎはセル内のセクタ数である。
ｍｙＳｅｃＮｏはサブキャリアの所期セクタ番号である。
ＮｏＰｉｌｏｔｓはＰＲＵ内のパイロット数に等しい。
Ｎｒは受信器アンテナ数である。
【００５７】
各パイロット位置における所期セクタの干渉サンプルは、受信信号から信号成分を除去することによって得られる。各パイロット位置における所期信号の干渉サンプルはＩｍ，ｋ，ｎ＝ｙｍ，ｋ，ｎ−Ｈｋ，ｎ＊Ｐｋにより得られる。
【００５８】
ＣＤＲモードでは列ベクトル形式にて干渉サンプルとその複素共役とが収集される。所期セクタについてこのように得られたサンプルから全パイロット位置にて干渉共分散行列が推定される。番号が異なる残りのセクタの干渉共分散は、それらのパイロット位置における受信サンプルから推定される。総合干渉共分散推定を得るため、上記のステップを使用して取得された干渉共分散が加えられる。
For m=0:MaxSecNo{
if(m==mySecNo){
For k=0:NOPilots
{
Im,k,n=ym,k,n-Hk,n*Pk;
Im,k=[Im,k,0Im,k,1 ... Im,l,Nr-1]T
if(CDRmode=on)
Im,k=[Im,kconj(Im,k)]T
)
C=C+Im,kIm,kH
}
}
Else
{
Im,k,n=Ym,k,n
Im,k=[Im,k,0Im,k,1 ... Im,k,nr-1]T
if(CDRmode=on)
Im,k=[Im,kconj(Im,k)]T
}
C=C+Im,kIm,kH
}
}
【００５９】
本願の実施形態におけるパイロット構造により、様々な先進的な受信器とマルチユーザチャネル推定の効率的な実施が可能となる。例えば、残留ノイズプラス干渉共分散と１セットの支配的干渉源のチャネル状態情報はゼロトーン位置から推定できる。パイロットプランニング方法を使用してパイロットシーケンスが事前に計画される場合、支配的干渉源によって使用されるパイロットは受信器にとって既知である。様々な支配的干渉源のチャネル状態は下記実装のいずれかにおいて使用できる。
−支配的干渉チャネル状態情報と残差共分散を使用して干渉の共分散を明示的に構成する。
−残留ノイズ＋干渉をホワイトニングするノイズホワイトニングフィルタによりプリコードされるマルチユーザジョイント復調器を使用する。
−これらの手法はＣＤＲ受信器と非ＣＤＲ受信器の両方に適用可能である。
【００６０】
一実施形態では、高干渉抑制利得を得るためＯＬ  ｒａｎｋ−１プリコーディングとＣＯＦＩＰがＣＤＲ又は非ＣＤＲモードとともに使用される。ＭＩＭＯエンコーダの出力はｘとして表され、これはＭｔｘ１ベクトルである。プリコーダの出力ベクトル（Ｎｔｘ１）はｚ＝Ｗ．ｘである。ＭｔはＭＩＭＯストリームの数であり、Ｎｔは送信アンテナの数であり、ＷはＮｔｘＭｔプリコーディング行列である。Ｒａｎｋ−１プリコーディングと非ＣＤＲ送信においてｘはスカラーであり、Ｗはプリコーディングベクトルである。ＣＤＲ符号化の場合はｘ＝［ｓ１ｓ１＊］であり、変調シンボルｓ１が取られ、ｓ１連続サブキャリアの複素共役とともに送信される。
【００６１】
ＭＩＭＯ方式は、低複雑度により重度の干渉を抑制するその能力のため、リユース１セルラーシステムにおけるセルエッジに適している。ＣＯＦＩＰパイロット構造は、多くの干渉が存在する場合でも受信器がチャネル、干渉共分散、チャネル品質指標（ＣＱＩ）等を正確に推定することを可能にするため、ＣＤＲ送信と非ＣＤＲ送信の両方で非常に有用である。このためＣＯＦＩＰはリユース１セルラーシステムにおけるセルエッジにとって最適なパイロット構造である。
【００６２】
ダウンリンク非適応プリコーディングにおいて、各物理リソースユニット（ＰＲＵ）のＷ行列は基地局により決まった方法で選択される。８０２．１６ｍでは行列Ｗが周波数においてＮＰＲＵごとに変化する。ＯＬ領域の外と中で、Ｎ＝Ｎ１＝４であり、プリコーダの時間的な変化はない。これはＮ１サイクリングと呼ばれる。周波数においてＮ１の連続するＰＲＵのセットはサブバンドと定義されるため、プリコーダはサブバンドごとに変更される。物理サブバンド「ｓ」で適用されるプリコーディング行列Ｗはコードブックにおいてインデックスｉのコードワードとして選択され、ｉはｉ＝ｓｍｏｄＮｗにより得られる。ｓ＝０，１，．．Ｎｓｕｂ−１であり、Ｎｓｕｂは全システム帯域幅にわたる物理サブバンド数を表す。Ｎｗはコードブックにおけるコードワードの数である。
【００６３】
ブロック分散配分によるタイプ１のＯＬ領域ではＮ＝Ｎ２であり、サブフレーム番号「ｔ」でＰＲＵ「ｍ」に適用されるＮｔ×１プリコーディング行列Ｗは、コードブックにおいてインデックスｉのコードワードとして選択され、ｉは次式により与えられる。
i=(m+(t mod 2))modNW m=0, 1, .NPRU-1
一実施形態においてインデックスｉは次式により与えられる。
i=(m)modNW m=0, 1, .NPRU-1
ＮＰＲＵは全システム帯域幅にわたるＰＲＵの数である。周波数においてＮ2の連続するＰＲＵのセットはまとめてミニバンドと定義されるため、プリコーダはミニバンドごとに変わる。
プリコーディング行列Ｗはコードブックにおいてインデックスｉのコードワードとして選択される。２−Ｔｘアンテナの場合、コードブックの要素は次の通りに選択される。
【００６４】
【数２】
2012519998.tif 000004
別の実施形態では、２−Ｔｘアンテナの場合、コードブックＣのエントリは次式により与えられる。
【００６５】
【数３】
2012519998.tif 000005
上記のコードブックから、全ての要素又は特定のサブセットを選ぶことができる。さらに別の実施形態では以下のコードブックが使用される。
【００６６】
【数４】
2012519998.tif 000006
４−Ｔｘアンテナ、単一のストリーム、送信の場合、コードブックの好適なエントリは次式により与えられる。
【００６７】
【数５】
2012519998.tif 000007
【００６８】
別の実施形態において、単一のストリーム４−Ｔｘの場合は以下のエントリが選択される。
【００６９】
【数６】
2012519998.tif 000008
４−Ｔｘの場合は以下の要素によりコードブックを使用できる。
【００７０】
【数７】
2012519998.tif 000009
８−Ｔｘの場合は次の通りにコードブックの要素が選択される。
【００７１】
【数８】
2012519998.tif 000010
より一般的に、ＭｔＴｘアンテナの場合は以下のコードブックを使用できる。コードブックは長さＭｔの列ベクトルであり、コードブックの１番目の要素は１行目に１を含み、他の要素はすべてゼロである。
【００７２】
Ｒａｎｋ−１  ＯＬ領域は一つのＭＩＭＯストリームＣＤＲ符号化又は非ＣＤＲ符号化を使用する。この領域ではデータの局所及びブロック分散配分が可能である。Ｒａｎｋ−１  ＯＬ  ＭＩＭＯ領域は無衝突インタレースパイロット（ＣＯＦＩＰ）パターンを使用する。図８、図９、図１０は６個のＯＦＤＭシンボルからなるＡＡＩサブフレームのＣＯＦＩＰパターンを示している。所定のＰＲＵセットは、自身のＢＳと異なるセルＩＤを持つＢＳのパイロット位置にてヌルトーンを送信できる。図８、図９、及び図１０に示されるように、ヌルトーンは１ストリームインタレースパイロットパターンの中で導入される。Ｃｅｌｌ  ＩＤｌ＝ｋを持つ特定のＢＳによって使用されるＣＯＦＩＰタイプのインデックスはｐｋとして表される。ＣＯＦＩＰタイプのインデックスは次式に従いセルＩＤより決定される。
【００７３】
【数９】
2012519998.tif 000011
【００７４】
別の実施形態において、ＣＯＦＩＰタイプのインデックスは次式に従いセルＩＤにより決定される。ｐｋ＝ｍｏｄ（ｋ，３）。７個のＯＦＤＭシンボルからなるＡＡＩサブフレームの場合、図８、図９、図１０に示した各パイロットパターンセットにてパイロットトーンとヌルトーンを含む最初のＯＦＤＭシンボルは第７のシンボルとして追加される。図１１、図１２、図１３は５個のＯＦＤＭシンボルからなるＡＡＩサブフレームのパイロットパターンセットを示している。
【００７５】
異なるセルに割り当てられるパイロットシーケンスは良好な相互相関特性を有さなければならない。例えば８０２．１６ｍの単一ストリームパイロットパターンでパイロットシーケンスを生成するには、図２１に示すＰＲＢＳジェネレータを使用できる。このＰＲＢＳジェネレータの特性多項式はＸ３＋Ｘ＋１である。ＰＲＢＳは７サンプルの周期性を有し、ＰＲＵの中には６個のパイロットしかないため、パイロットを導き出すためには最初の６サンプルのみ使用される。
【００７６】
ＰＲＵ内のパイロットシンボルＰｋはＰｋ＝（２＊Ｗｋ−１）＊ｓｑｒｔ（Ｐｓ）によりＷｋから導き出される。Ｐｓはパイロットトーン電力である。ｋ＝０から５である。７個のパイロットシーケンスを含むコードセットＣを生成するため、異なる非ゼロベクトル［ｂ２ｂ１ｂ０］がＰＲＢＳジェネレータを初期化するため使用される。
【００７７】
表１ではパイロットコードブックＰ＝｛Ｐ（０），Ｐ（１），Ｐ（２），Ｐ（３），Ｐ（４），Ｐ（５），｝が定義されており、ここでＰ（ｉ），ｉ＝０，１．．，５はＰＲＵで運ばれるパイロット値を表す。６−パイロットトーンの位置は、６−ＯＦＤＭシンボルからなるＡＡＩサブフレームの場合は図１５、図１６、及び図１７のＣＯＦＩＰパイロット構造に示してあり、５−ＯＦＤＭシンボルからなるＡＡＩサブフレームの場合は図１８、図１９、及び図２０に示す。７個のＯＦＤＭシンボルからなるＡＡＩサブフレームの場合、図１５、図１６、及び図１７に示した各パイロットパターンセットにてパイロットトーンとヌルトーンを含む最初のＯＦＤＭシンボルは第７のＯＦＤＭシンボルとして追加される。
【００７８】
ＰＲＢＳジェネレータは良好な相互相関により７シーケンスのみ生成できる。二つの近接する基地局が同じパイロットシーケンスを使用するのを防ぐにはパイロットプランニングが必要である。例えば、図２２に示すリユース１／７パイロットプランニングを使用できる。同じ数字でマークされたセルは同じパイロットシーケンスを使用する。７個のセルはクラスタにグループ分けされ、クラスタはその領域の中で繰り返される。
【００７９】
【表１】
2012519998.tif 000012
【００８０】
パイロットに対する干渉平均化の利点をいかすため、時間及び／又は周波数におけるパイロットシーケンスサイクリングが実施される。このように生成され、ＣＯＦＩＰパイロットサブキャリアを変調するため使用される、パイロットシーケンスは、表１で定義されたパイロット変調シーケンスのセットから得られる。ＰＲＵパイロットサブキャリアの変調に使用されるシーケンスインデックスはｉ＝ｍｏｄ（ｓ＋ｔ＋ｍｏｄ（ｍｏｄ（Ｃｅｌｌ  ＩＤ２５６），７），７）から導き出され、「ｓ」は物理ＰＲＵインデックスであり、「ｔ」は物理サブフレームインデックスである。あるいは、ＭＳによって使用されるベースパイロットコードシーケンスは制御チャネルで伝達できる。
【００８１】
ＣＱＩフィードバックとＳＴＣレートフィードバック（適宜）はＡＭＳによって報告されるスペクトル効率値を構成する。この値は測定ブロック誤り率に相当し、この誤り率は特定の目標誤り率に最も近く、ただしこれを超過しない。受信器はチャネル品質指標（ＣＱＩ）を計算し、ＢＳにフィードバックする。バンドにおけるＭＳの好適なＭＣＳレベルはＣＱＩである。８０２．１６ｍにおいては、二つのＣＱＩモードがある。
１．サブバンドＣＱＩ、ＳＢ−ＣＱＩ（サブバンドの場合）
２．ワイドバンドＣＱＩ、ＷＢ−ＣＱＩ（ミニバンドの場合）
ＭＳは、全サブバンドにつきＳＢ−ＣＱＩをフィードバックし、これがスケジュールされた周波数パーティションにて一つのＷＢ−ＣＱＩをフィードバックする。
【００８２】
ＯＬ領域では、プリコーダとＭＩＭＯストリームの数が時間の経過にともない固定されるため、受信器の出力ＳＩＮＲを使用して計算されるＣＱＩは信頼性が高い。ユーザがスケジュールされるとき、そのユーザの前の測定から得られるＣＱＩは現時点で有効である。唯一の不一致はチャネル／干渉共分散測定誤差から生じる。ＣＯＦＩＰ構造はこれらの誤差を最小限に抑える。開ループ領域とＣＯＦＩＰの組み合わせは、効率的マルチユーザスケジューリングのための基地局における正確なＣＱＩ情報に非常に適している。
開ループ領域におけるＣＱＩ計算は以下のステップをともなう。
１．対象となる受信器について、各トーン（変調シンボルが２個のサブキャリアにわたって広がる場合はトーン対）にてポスト受信器ＳＩＮＲを計算する、すなわち非ＣＤＲ受信器のＣＤＲ。
２．ＡｖｇＳＩＮＲ、ＲＢＩＲ、又はＭＭＩＢ等の方法を使用し、リソースユニットにてＳＩＮＲ（ステップ１で計算）から対応するＡＷＧＮ  ＳＩＮＲを計算する。
３．全ＭＣＳのＡＷＧＮテーブル（ＳＩＮＲ−ＢＬＥＲ）から、最大のスペクトル効率を与え、かつＢＬＥＲ＜ＢＬＥＲｔｈｒｅｓｈｏｌｄ（ＢＬＥＲｔｈｒｅｓｈｏｌｄ＝０．１ｏｒ０．０１）を満たす最良ＭＣＳを見つける。
スペクトル効率＝ｌｏｇ２（Ｍｏｄｕｌａｔｉｏｎ  ｓｉｚｅ）＊ｃｏｄｅ  ｒａｔｅ＊（１−ＢＬＥＲ）。
４．ＭＳは、その周波数パーティションにて各サブバンドのサブバンドＣＱＩと全ミニバンドの単一のワイドバンドＣＱＩを報告する。
５．全てのサブフレームでプリコーダが固定されるＮ１サイクリングの場合は、プリコードされたパイロットが送信されるサブフレームのいずれか一つを使用してＣＱＩ計算を行える。Ｎ２サイクリングではプリコーダが２サブフレームごとに固定され、ＣＱＩ計算は二つの連続するサブフレームを使用して行える。
【００８３】
ＤＬ  ＯＬ領域は、複数のアンテナにわたって単一のデータストリームのみが送信されるｒａｎｋ−１  ＯＬ  ＭＩＭＯ領域からなり、単一のストリームｒａｎｋ−１  ＯＬプリコーディングを使用する。プリコーダはリソースブロック（ＲＢ）が持続する間一定に保たれ、プリコーダは一つのリソースブロックから別のリソースブロックにかけて変化することがある。
【００８４】
ＯＬ領域では各ＲＢで使用されるプリコーダが事前に定義される。各ＲＢにてデータとパイロットは同じプリコーダを使用してプリコードされる。ＯＬ  ＭＩＭＯ領域で、所定数のサブフレームでは例えデータがスケジュールされない場合でも各ＰＲＵにて専用パイロットが送信される。これらのパイロットを「常時オン」パイロットと呼ぶ。残りのサブフレームではデータがスケジュールされる場合に限り各ＰＲＵにて専用パイロットが送信される。
【００８５】
常時オンパイロットは、割り当てられたダウンリンクフレームの最初の、又は最後の、「ｕ」サブフレームで送信できる。「ｕ」の値は０、１、２、又は３である。あるいは常時オンパイロットは、割り当てられたＤＬフレームにおける２個の「ｐ」サブフレームにわたって送信でき、ｐは値０、１、２、又は３を取ることができる。あるいはパイロットは、ＯＬ領域に割り当てられた全てのサブフレームでオンである。すなわちパイロットトーンは、例えそれらのリソースでデータが送信されない場合でも常に送信される。特定のサブフレーム概念における常時オンパイロットは、ＣＤＲ、ＯＬマルチユーザ（ＭＵ）ＭＩＭＯで使用できる。これはＤＲＵで実施されるＳＦＢＣ／ＳＭにも使用できる。
【００８６】
受信器は、オンに保たれるプリコードされたパイロットを使用してチャネル品質情報（ＣＱＩ）を推定する。ＣＱＩは、ＭＳによって使用される受信器の処理後ＳＩＮＲとして推定される。パイロット構造がパイロットトーンとヌルトーンの組み合わせを使用する場合、ＣＱＩは、パイロットトーンとヌルトーンのときに受信される信号サンプルを使用して推定できる。ＭＳは、１セットのサブバンドにつき最良バンドＣＱＩ（最良Ｍバンド、Ｍの値はシステムによって構成される）を計算するほか、ワイドバンドＣＱＩを計算する。このＣＱＩ情報は最良サブバンドのインデックスとともにＢＳへフィードバックされる。ＢＳはマルチユーザスケジューリングと変調及び符号化方式（ＭＣＳ）配分にＣＱＩを使用する。システムが専用パイロットを使用する領域で（データがオンの場合に限りパイロットオン）、受信器は、好ましくは各ＲＢから別々に干渉共分散情報を推定する。干渉源の数はＲＢによって異なるため、干渉共分散推定は対象となるＲＢに制限するのが好ましい。別の実施形態ではｒａｎｋ−１  ＯＬ領域が二つの領域に、すなわちｒａｎｋ−１＋ＣＯＦＩＰ＋非ＣＤＲ領域とｒａｎｋ−１＋ＣＤＲ＋ＣＯＦＩＰ領域とに分割される。システムは一度に両方の領域を使用するか、あるいは一度に二つの領域のいずれか一方を使用する。
【００８７】
ｒａｎｋ−１  ＯＬ  ＭＩＭＯＣＤＲ領域において、データとその複素共役はともに隣接ＯＦＤＭトーンにてマッピングされる。ネットワークにわたり同じ符号化が全基地局にて同期的に使用される。ＯＬ  ｒａｎｋ−１プリコーディングもまたネットワーク内の全ＰＲＵに適用される。この領域においてプリコーダは事前に指定される。この領域で送信されるＰＲＵは全てＣＯＦＩＰ構造とともにＣＤＲ符号化を使用する。
【００８８】
ｒａｎｋ−１  ＯＬ  ＭＩＭＯ非ＣＤＲ領域はＣＤＲ符号化を使用する。この領域で、ＯＬ  ｒａｎｋ−１プリコーディングはネットワーク内の全ＰＲＵに適用される。この領域においてプリコーダは事前に指定される。この領域で送信されるＰＲＵはどれもＣＯＦＩＰ構造を使用する。サブバンドモードで、ＭＳは最良Ｍバンドのため従来型ＭＭＳＥ受信器の処理後ＳＩＮＲ（ＣＱＩ）を報告し、Ｍは整数である（ＢＳにより設定）。基地局は、サブバンドにおいてユーザ配分を決定するためプロポーショナルフェア（ＰＦ）タイプのスケジューリングを使用する。ワイドバンドモードで、ＭＳは割り当てられた分散ｍｉｎ−ｂａｎｄセットのためＭＭＳＥ受信器の処理後ＳＩＮＲ（ＣＱＩ）を報告する。基地局は、ワイドバンドＣＱＩに基づきミニバンドにおけるユーザ配分を決定するためプロポーショナルフェア（ＰＦ）タイプのスケジューリングを使用する。
【００８９】
ＣＤＲ領域において、ＭＳはサブバンドモードで最良ＭバンドのためＣＤＲ  ＭＭＳＥ受信器の処理後ＳＩＮＲ（ＣＱＩ）を報告し、Ｍは整数である（ＢＳにより設定）。基地局は、サブバンドにおいてユーザ配分を決定するためプロポーショナルフェア（ＰＦ）タイプのスケジューリングを使用する。ワイドバンドモードで、ＭＳは割り当てられた分散ｍｉｎ−ｂａｎｄセットのためＣＤＲ  ＭＭＳＥ受信器の処理後ＳＩＮＲ（ＣＱＩ）を報告する。基地局は、ワイドバンドＣＤＲ  ＣＱＩに基づき割り当てられたｍｉｎ−ｂａｎｄ  ＰＲＵにおけるユーザ配分を決定するためプロポーショナルフェア（ＰＦ）タイプのスケジューリングを使用する。
【００９０】
ＳＩＮＲが非常に低く、二より多くの干渉源からの干渉を有するユーザはＣＤＲを使用でき、もしくはユーザは非ＣＤＲモードに置かれる。ｒａｎｋ−１及びＣＤＲ領域間の分割はＢＳにより半静的に行われる。これらの領域に割り当てられたリソースは基地局によって伝達される。
【００９１】
場合によってはシングル及びマルチアンテナ送信器がシステムに混在する。この場合はｒａｎｋ−１領域でＣＤＲとＣＯＦＩＰが使用され、ここでＭＳはＯＬ又はＣＬ  ｒａｎｋ−１プリコーダを使用し、あるいは両方のプリコーダを使用する。この種類のシナリオは通常アップリンクで起こる。同様に非ＣＤＲ  ＣＯＦＩＰ領域を定義でき、ここではＯＬ又はＣＬが、あるいはＯＬ及びＣＬ送信の両方が可能である。
【００９２】
本明細書で開示される実施形態は、基地局と移動局との間で通信が行われるセルラータイプのシステムに限定されない。本発明の概念は、リレー／フェムトセル（又はランダムネットワーク）と可動／遊動受信器との通信に、あるいは基地局とリレーとフェムトが同一システム内に共存するシステムに適用できる。支配的干渉源が多数存在するシステムでは、リユース６又はリユース７ＣＯＦＩＰが正確なＣＱＩ推定にとって好ましい。ランダムネットワークにおいて、その基地局／セクタで使用されるパイロットインタレースは制御メッセージにて明示的にＭＳに伝達される。
【００９３】
様々な実施形態において、セクタはセルラーネットワーク内のセクタに限定されない。セクタは、エリアをカバーする送信器（フェムトセル及びリレーを含むが、これらに限定されない）によって定義される。カバーされるエリアは部分的（３６０度未満）又は全部（３６０度）である。
【００９４】
本明細書で開示される実施形態は、少なくとも一つのハードウェア装置上で実行し、かつネットワークエレメントを制御するためネットワーク管理機能を遂行する、少なくとも一つのソフトウェアプログラムにより実装できる。
【００９５】
上記の特定の実施形態の説明は、本実施形態の一般的性質を十分に明らかにするものであり、現在の知識を適用することにより、その上位概念から逸脱することなく、他者が容易にそれらの特定の実施形態を変更及び／又は様々な用途に適用させることができるため、そのような適用例及び変形例は、開示した実施形態の均等物の意味及び範囲内にあると理解すべきであり、かつそのように理解されることを意図している。本明細書で用いた表現や用語は説明のためのものであって、本発明を限定するためのものではないことを理解されたい。従って、本実施形態は好適な実施形態に関して説明したが、当業者であれば、本実施形態を本明細書で説明した実施形態の精神と範囲内で変形して実施し得ることは理解できよう。
【符号の説明】
【００９６】
２０１  シリアル−パラレルコンバータ
２０２  シンボルマッパー
２０３  ＮポイントＩＦＦＴ
２０４  サイクリックプレフィックス
２０５  パラレル−シリアルコンバータ
【図１】
2012519998.tif 000015
【図２】
2012519998.tif 000016
【図３】
2012519998.tif 000017
【図４】
2012519998.tif 000018
【図５】
2012519998.tif 000019
【図６】
2012519998.tif 000020
【図７】
2012519998.tif 000021
【図８】
2012519998.tif 000022
【図９】
2012519998.tif 000023
【図１０】
2012519998.tif 000024
【図１１】
2012519998.tif 000025
【図１２】
2012519998.tif 000026
【図１３】
2012519998.tif 000027
【図１４】
2012519998.tif 000028
【図１５】
2012519998.tif 000029
【図１６】
2012519998.tif 000030
【図１７】
2012519998.tif 000031
【図１８】
2012519998.tif 000032
【図１９】
2012519998.tif 000033
【図２０】
2012519998.tif 000034
【図２１】
2012519998.tif 000035
【図２２】
2012519998.tif 000036
【図２３】
2012519998.tif 000037
【図２４】
2012519998.tif 000038
【図２５】
2012519998.tif 000039
【図２６】
2012519998.tif 000040
【図２７】
2012519998.tif 000041
【図２８】
2012519998.tif 000042
【図２９】
2012519998.tif 000043
【図３０】
2012519998.tif 000044
【図３１】
2012519998.tif 000045
【図３２】
2012519998.tif 000046
【図３３】
2012519998.tif 000047
【国際調査報告】
2012519998.tif 000048